(57)【要約】  本明細書の実施形態は、新無線（ＮＲ）におけるアップリンク／ダウンリンクスイッチングのためのタイミングアドバンスオフセットに関する。一実施形態では、アップリンク／ダウンリンクスイッチングのためのタイミングアドバンス（ＴＡ）オフセットであって、無線通信デバイスとネットワークノードとの間の通信で使用される異なるシナリオにおける、アップリンク／ダウンリンクスイッチングのための時間オフセット要件に少なくとも基づいた、ＴＡオフセットを決定することと、決定したＴＡオフセットを、無線通信デバイスからネットワークノードへのアップリンク通信で適用することとを含む、無線通信デバイスにおける方法を提案する。本明細書の実施形態を用いて、ＮＲのためのアップリンク／ダウンリンクスイッチング時間が定義される。【選択図】図１６
2021502753.tif 000002
【特許請求の範囲】
【請求項１】
無線通信デバイス（３０１）における方法（１６００）であって、
アップリンク−ダウンリンクスイッチングのためのタイミングアドバンス（ＴＡ）オフセットであって、無線通信デバイスからネットワークノードへのアップリンク送信が行われるセルの複信モードと、前記アップリンク送信（３０２）の周波数範囲とに応じて決まる、ＴＡオフセットを決定すること（１６０１）と、
前記決定したＴＡオフセットを前記アップリンク送信で適用すること（１６０２）とを含む、方法。
【請求項２】
前記複信モードが時分割複信（ＴＤＤ）の複信モードである、請求項１に記載の方法。
【請求項３】
前記ＴＡオフセットが、前記周波数範囲が第１の周波数範囲であるかまたは第２の周波数範囲であるかに応じて決まる、請求項１または２に記載の方法。
【請求項４】
前記第１の周波数範囲が６ＧＨｚ超過の周波数範囲であり、前記第２の周波数範囲が６ＧＨｚ未満の周波数範囲である、請求項３に記載の方法。
【請求項５】
前記ＴＡオフセットが、時分割複信の周波数閾値よりも低い第１の周波数帯に対する第１のＴＡオフセット値と、前記周波数閾値に等しいかまたはそれよりも高い第２の周波数帯に対する第２のＴＡオフセット値とを有し、前記第１のＴＡオフセット値が前記第２のＴＡオフセット値とは異なる、請求項１に記載の方法。
【請求項６】
前記周波数閾値が約６ＧＨｚであり、前記第１のＴＡオフセットが約２０μｓであり、前記第２のＴＡオフセットが約１０μｓである、請求項５に記載の方法。
【請求項７】
周波数分割複信（ＦＤＤ）の複信モードに対する前記ＴＡオフセットが０である、請求項１に記載の方法。
【請求項８】
前記ＴＡオフセットを示すメッセージを前記ネットワークノードから受信すること（１６０３）を更に含む、請求項１から７のいずれか一項に記載の方法。
【請求項９】
前記メッセージがランダムアクセス応答（ＲＡＲ）メッセージである、請求項８に記載の方法。
【請求項１０】
前記ＴＡオフセットがＴＡコマンド（ＴＡＣ）に示される、請求項８に記載の方法。
【請求項１１】
前記ＴＡオフセットが前記メッセージの２ビットまたは３ビットによって指定される、請求項８に記載の方法。
【請求項１２】
前記ＴＡオフセットが、所定の周波数帯および複信モードに対する所定の定数値である、請求項１に記載の方法。
【請求項１３】
前記ＴＡオフセットを適用することが、
前記ＴＡオフセットに加えて、前記無線通信デバイスと前記ネットワークノードとの間の伝播遅延に対応するタイミングアドバンスを適用することを更に含み、
前記伝播遅延に対応する前記タイミングアドバンスが、ＲＡＲメッセージのＴＡコマンドで前記ネットワークノードから送出される、請求項１に記載の方法。
【請求項１４】
前記ＴＡオフセットがＮＲ−ＬＴＥの共存とは無関係である、請求項１３に記載の方法。
【請求項１５】
ネットワークノード（３０２）における方法（１７００）であって、
アップリンク−ダウンリンクスイッチングのためのタイミングアドバンス（ＴＡ）オフセットであって、ネットワークノードと無線通信デバイス（３０１）との間の通信で使用される複信モードおよび周波数範囲に応じて決まる、ＴＡオフセットを決定すること（１７０１）と、
前記決定したＴＡオフセットを前記無線通信デバイスに送出すること（１７０２）とを含む、方法。
【請求項１６】
前記ＴＡオフセットがランダムアクセス応答（ＲＡＲ）メッセージで送出される、請求項１５に記載の方法。
【請求項１７】
前記ＴＡオフセットがＴＡコマンド（ＴＡＣ）に含まれる、請求項１５に記載の方法。
【請求項１８】
前記ＴＡオフセットが２ビットまたは３ビットを占める、請求項１５から１７のいずれか一項に記載の方法。
【請求項１９】
前記無線通信デバイスと前記ネットワークノードとの間の伝播遅延に対応するタイミングアドバンスを、ＲＡＲメッセージのＴＡコマンドで、前記無線通信デバイスに送出すること（１７０３）を更に含む、請求項１５に記載の方法。
【請求項２０】
前記ＴＡオフセット値が前記周波数帯に応じて決まる、請求項１５から１９のいずれか一項に記載の方法。
【請求項２１】
前記ＴＡオフセットが、時分割複信の周波数閾値よりも低い第１の周波数帯に対する第１のＴＡオフセット値と、前記周波数閾値に等しいかまたはそれよりも高い第２の周波数帯に対する第２のＴＡオフセット値とを有し、前記第１のＴＡオフセット値が前記第２のＴＡオフセット値とは異なる、請求項１５から２０のいずれか一項に記載の方法。
【請求項２２】
前記第１のＴＡオフセット値が前記第２のＴＡオフセット値よりも大きい、請求項２１に記載の方法。
【請求項２３】
非時分割複信（非ＴＤＤ）の場合、前記ＴＡオフセットが０である、請求項１５から２２のいずれか一項に記載の方法。
【請求項２４】
前記周波数閾値が約６ＧＨｚであり、
前記第１のＴＡオフセットが約２０μｓであり、
前記第２のＴＡオフセットが約１０μｓである、請求項２１または２２に記載の方法。
【請求項２５】
前記ＴＡオフセットが、特定の周波数帯および特定のフレーム構造に対する、予め定義された定数値である、請求項１５から２４のいずれか一項に記載の方法。
【請求項２６】
前記ＴＡオフセットがＮＲ−ＬＴＥの共存とは無関係である、請求項１５から２５のいずれか一項に記載の方法。
【請求項２７】
無線通信デバイスとして動作するように構成された装置（８００）であって、
少なくとも１つのプロセッサ（８０１）と、
前記少なくとも１つのプロセッサに結合され、前記少なくとも１つのプロセッサによって実行可能な命令を含む、非一時的コンピュータ可読媒体（８０２）とを備え、それによって前記少なくとも１つのプロセッサが、
アップリンク／ダウンリンクスイッチングのためのタイミングアドバンス（ＴＡ）オフセットであって、アップリンク送信が行われるセルの複信モードと、前記アップリンク送信（３０２）の周波数範囲とに応じて決まる、ＴＡオフセットを決定（６０１）し、
前記決定したＴＡオフセットを、前記無線通信デバイスからネットワークノードへのアップリンク通信で適用（６０３）するように構成される、装置（８００）。
【請求項２８】
前記少なくとも１つのプロセッサが、
前記ＴＡオフセットを含むメッセージを前記ネットワークノードから受信（６０１）するように更に構成され、
前記ＴＡオフセットを決定することが、前記受信したＴＡオフセットを適用することを含む、請求項２７に記載の装置。
【請求項２９】
前記メッセージがランダムアクセス応答（ＲＡＲ）メッセージである、請求項２７または２８に記載の装置。
【請求項３０】
前記ＴＡオフセットがＴＡコマンド（ＴＡＣ）に含まれる、請求項２７または２８に記載の装置。
【請求項３１】
前記ＴＡオフセットが、特定の周波数帯および特定のフレーム構造に対する、予め定義された定数値である、請求項２７または２８に記載の装置。
【請求項３２】
前記ＴＡオフセットが前記メッセージの２ビットまたは３ビットを占める、請求項３０または３１に記載の装置。
【請求項３３】
前記少なくとも１つのプロセッサが、前記ＴＡオフセットを適用したとき、
前記ＴＡオフセットに加えて、前記無線通信デバイスと前記ネットワークノードとの間の伝播遅延に対応するタイミングアドバンスを適用するように更に構成され、
前記伝播遅延に対応する前記タイミングアドバンスが、ＲＡＲメッセージのＴＡコマンドで前記ネットワークノードから送出される、請求項２７に記載の装置。
【請求項３４】
前記ＴＡオフセット値が前記周波数帯に応じて決まる、請求項２７から３３のいずれか一項に記載の装置。
【請求項３５】
前記ＴＡオフセットが、時分割複信の周波数閾値よりも低い第１の周波数帯に対する第１のＴＡオフセット値と、前記周波数閾値に等しいかまたはそれよりも高い第２の周波数帯に対する第２のＴＡオフセット値とを有し、前記第１のＴＡオフセット値が前記第２のＴＡオフセット値とは異なる、請求項２７から３４のいずれか一項に記載の装置。
【請求項３６】
前記第１のＴＡオフセット値が前記第２のＴＡオフセット値よりも大きい、請求項３５に記載の装置。
【請求項３７】
非時分割複信（非ＴＤＤ）の場合、前記ＴＡオフセットが０である、請求項２７から３６のいずれか一項に記載の装置。
【請求項３８】
前記周波数閾値が約６ＧＨｚであり、
前記第１のＴＡオフセットが約２０μｓであり、
前記第２のＴＡオフセットが約１０μｓである、請求項３５から３７のいずれか一項に記載の装置。
【請求項３９】
前記ＴＡオフセットがＮＲ−ＬＴＥの共存とは無関係である、請求項２７から３８のいずれか一項に記載の装置。
【発明の詳細な説明】
【技術分野】
【０００１】
関連出願の相互参照
本出願は、２０１７年１１月１０日付けのＰＣＴ／ＣＮ２０１７／１１０５２８の優先権を主張し、その開示の全体を参照により本明細書に援用する。
【０００２】
本明細書の実施形態は、全体として無線通信に関し、より詳細には、本明細書の実施形態は、新無線（ＮＲ）におけるアップリンク／ダウンリンクスイッチングのためのタイミングアドバンスオフセットに関する。
【背景技術】
【０００３】
アップリンク（ＵＬ）における直交性を保存するために、複数のユーザ機器（ＵＥ）からのＵＬ送信は、基地局、ｅＮｏｄｅＢなどのネットワークノードで時間整列させる必要がある。これは、同じセルにおけるＵＥの送信タイミングを、それらの信号が同時にｅＮｏｄｅＢ受信機に到達するように調節すべきであることを意味する。この調節を実施するために、ダウンリンク（ＤＬ）フレームに対するアップリンクフレームの先行を指定するタイミングアドバンス（ＴＡ）が定義される。
【０００４】
ロングタームエボリューション（ＬＴＥ）では、アップリンク／ダウンリンクスイッチングのためのＴＡオフセットが、第３世代パートナーシッププロジェクト（３ＧＰＰ）技術仕様書ＴＳ  ３６．２１１で更に導入されている。図１は、ダウンリンク送信前のアップリンク送信の従来のタイミングアドバンスを示している。図１に示されるように、ＵＥからのアップリンク無線フレーム番号ｉの送信は、ＵＥにおける対応するダウンリンク無線フレームの開始の（ＮＴＡ＋ＮＴＡ  ｏｆｆｓｅｔ）×Ｔｓ秒前に開始することができ、ここで、ＵＥがセカンダリセルグループ（ＳＣＧ）で構成されている場合は、０≦ＮＴＡ≦４０９６、それ以外の場合は０≦ＮＴＡ≦２０５１２である。Ｔｓ＝１／（３０．７２＊１０６）であることに留意のこと。別段の指定がない限り、フレーム構造タイプ１の場合はＮＴＡ  ｏｆｆｓｅｔ＝０であり、フレーム構造タイプ２の場合はＮＴＡ  ｏｆｆｓｅｔ＝６２４である。無線フレームの必ずしも全てのスロットが送信されなくてもよいことに留意のこと。この１つの例は、無線フレームにおけるスロットのサブセットのみが送信される、ＴＤＤである。
【発明の概要】
【０００５】
ＮＲの最新の仕様書は、アップリンク／ダウンリンクに関するＴＡオフセットを説明していない。ＴＡのみが次のように検討されている。ダウンリンクおよびアップリンク送信は、持続時間がそれぞれＴｓｆ＝（ΔｆｍａｘＮｆ／１０００）×Ｔｃ＝１ｍｓである１０個のサブフレームから成る、Ｔｆ＝（ΔｆｍａｘＮｆ／１００）×Ｔｃ＝１０ｍｓの持続時間を有するフレームに組織化される。サブフレーム１つ当たりの連続する直交周波数分割多重（ＯＦＤＭ）シンボルの数は、
2021502753.tif 000003
である。各フレームは、サブフレーム０〜４から成るハーフフレーム０とサブフレーム５〜９から成るハーフフレーム１とをそれぞれ有する、５つのサブフレームを有する２つの均等サイズのハーフフレームに分割される。「アップリンク／ダウンリンクスイッチング」（あるいは、「アップリンク−ダウンリンクスイッチング」）という用語は、例えば、ＴＤＤ動作における、ダウンリンクからアップリンクへ、またはアップリンクからダウンリンクへのスイッチングを指すことができる。
【０００６】
アップリンクの１セットのフレームと、ダウンリンクの１セットのフレームとがキャリア上にある。図２は、ＮＲにおけるダウンリンク送信前のアップリンク送信のタイミングアドバンスを示している。図２に示されるように、ＵＥからのアップリンクフレーム番号ｉの送信は、ＵＥにおける対応するダウンリンクフレームの開始のＴＴＡ＝ＮＴＡＴＣ前に開始することができる。Ｔｃ＝Ｔｓ／６４＝１／（６４＊３０．７２＊１０６）であることに留意のこと。
【０００７】
したがって、ＴＡオフセットは、他の仕様書で指定されているか、または異なる事例に対するいくつかの定数値を含む３８．２１１で明示的に定義されている、ＴＡコマンド自体においても検討されるべきである。結果として、ＵＬ／ＤＬスイッチングのために予約されるタイミングを指定する、いくつかの定義が必要とされる。
【０００８】
３ＧＰＰ  ＲＡＮ４では、各方向のＵＥ過渡時間は、一般に、６ＧＨｚ帯未満では１０μｓ、６ＧＨｚ帯超過では５μｓであってもよい。したがって、ＤＬからＵＬへ、およびＵＬからＤＬへの合計スイッチング時間は、低帯域では約２０μｓ、高帯域では１０μｓであることができる。
【０００９】
本明細書に記載する実施形態は、ＮＲにおけるＴＡオフセットを取り入れることができる。いくつかの実施形態では、ＮＲにおけるアップリンク／ダウンリンクスイッチングのためのＴＡオフセットをどのように示すかが提案される。例示の実施形態が、前方互換性、周波数依存性、柔軟性、メッセージヘッドルーム（message headroom）などが考慮される、詳細な定義のために与えられるいくつかの例とともに提供される。
【００１０】
いくつかの実施形態では、無線通信デバイスにおける方法は、アップリンク／ダウンリンクスイッチングのためのタイミングアドバンス（ＴＡ）オフセットであって、無線通信デバイスとネットワークノードとの間の通信で使用される異なるシナリオにおける、アップリンク／ダウンリンクスイッチングのための時間オフセット要件に少なくとも基づいた、ＴＡオフセットを決定することと、決定したＴＡオフセットを、無線通信デバイスからネットワークノードへのアップリンク通信で適用することとを含む。
【００１１】
いくつかの実施形態では、ネットワークノードにおける方法は、アップリンク／ダウンリンクスイッチングのためのタイミングアドバンス（ＴＡ）オフセットであって、ネットワークノードと無線通信デバイスとの間の通信で使用される異なるシナリオにおける、アップリンク／ダウンリンクスイッチングのための時間オフセット要件に少なくとも基づいた、ＴＡオフセットを決定することと、決定したＴＡオフセットを、無線通信デバイスからネットワークノードへのアップリンク通信で適用するため、無線通信デバイスに送出することとを含む。
【００１２】
いくつかの実施形態では、少なくとも１つのプロセッサと、少なくとも１つのプロセッサに結合された非一時的コンピュータ可読媒体とを含む、無線通信デバイスとして動作するように、装置が構成されてもよい。非一時的コンピュータ可読媒体は、少なくとも１つのプロセッサによって実行可能な命令を含み、それによって少なくとも１つのプロセッサは、アップリンク／ダウンリンクスイッチングのためのタイミングアドバンス（ＴＡ）オフセットを決定するように構成される。ＴＡオフセットは、無線通信デバイスとネットワークノードとの間の通信で使用される異なるシナリオにおける、アップリンク／ダウンリンクスイッチングのための時間オフセット要件に少なくとも基づく。方法は、決定したＴＡオフセットを、無線通信デバイスからネットワークノードへのアップリンク通信で適用することを含む。
【００１３】
いくつかの実施形態では、ネットワークノードとして動作するように構成された装置は、少なくとも１つのプロセッサと、少なくとも１つのプロセッサに結合された非一時的コンピュータ可読媒体とを含む。非一時的コンピュータ可読媒体は、少なくとも１つのプロセッサによって実行可能な命令を含み、それによって少なくとも１つのプロセッサは、アップリンク／ダウンリンクスイッチングのためのタイミングアドバンス（ＴＡ）オフセットを決定するように構成される。ＴＡオフセットは、ネットワークノードと無線通信デバイスとの間の通信で使用される異なるシナリオにおける、アップリンク／ダウンリンクスイッチングのための時間オフセット要件に少なくとも基づく。少なくとも１つのプロセッサは更に、決定したＴＡオフセットを無線通信デバイスに送出するように構成される。ＴＡオフセットは、無線通信デバイスからネットワークノードへのアップリンク通信で適用されるものである。
【００１４】
本明細書に開示するいくつかの実施形態は、無線通信デバイスにおける方法を対象とする。かかる方法における動作は、アップリンク／ダウンリンクスイッチングのためのタイミングアドバンス（ＴＡ）オフセットであって、無線通信デバイスとネットワークノードとの間の通信で使用される異なる構成における、アップリンク／ダウンリンクスイッチングのための時間オフセット要件に基づいた、ＴＡオフセットを決定することと、決定したＴＡオフセットを、無線通信デバイスからネットワークノードへのアップリンク通信で適用することとを含んでもよい。
【００１５】
いくつかの実施形態では、無線通信デバイスはユーザ機器（ＵＥ）を含む。
【００１６】
いくつかの実施形態では、方法は、ＴＡオフセットを含むメッセージをネットワークノードから受信することを更に含む。いくつかの実施形態では、決定したＴＡオフセットを適用することは、受信したＴＡオフセットを適用することを含む。
【００１７】
いくつかの実施形態では、メッセージはランダムアクセス応答（ＲＡＲ）メッセージである。いくつかの実施形態では、ＴＡオフセットはＴＡコマンド（ＴＡＣ）に含まれる。いくつかの実施形態では、ＴＡオフセットは、特定の周波数帯および特定のフレーム構造に対する、予め定義された定数値である。いくつかの実施形態では、特定のフレーム構造は複数の複信モードの１つを含む。いくつかの実施形態では、ＴＡオフセットはメッセージの２ビットまたは３ビットを用いる。
【００１８】
いくつかの実施形態では、ＴＡオフセットを適用することは、ＴＡオフセットに加えて、無線通信デバイスとネットワークノードとの間の伝播遅延に対応するタイミングアドバンスを適用することを更に含む。いくつかの実施形態では、伝播遅延に対応するタイミングアドバンスは、ＲＡＲメッセージのＴＡコマンドでネットワークノードから送出される。
【００１９】
いくつかの実施形態では、ＴＡオフセット値は周波数帯に応じて決まる。いくつかの実施形態では、ＴＡオフセットは、時分割複信の周波数閾値よりも低い第１の周波数帯に対する第１のＴＡオフセット値と、周波数閾値に等しいかまたはそれよりも高い第２の周波数帯に対する第２のＴＡオフセット値とを有し、第１のＴＡオフセット値は第２のＴＡオフセット値とは異なる。いくつかの実施形態では、第１のＴＡオフセット値は第２のＴＡオフセット値よりも大きい。いくつかの実施形態では、非時分割複信（非ＴＤＤ）の場合、ＴＡオフセットは０である。
【００２０】
いくつかの実施形態では、周波数閾値は約６ＧＨｚを含み、第１のＴＡオフセットは約２０μｓを含み、第２のＴＡオフセットは約１０μｓを含む。いくつかの実施形態では、ＴＡオフセットはＮＲ−ＬＴＥの共存とは無関係である。
【００２１】
本開示のいくつかの実施形態は、ネットワークノードにおける方法を対象とする。かかる方法に対応する動作は、アップリンク／ダウンリンクスイッチングのためのタイミングアドバンス（ＴＡ）オフセットであって、ネットワークノードと無線通信デバイスとの間の通信で使用される異なる構成における、アップリンク／ダウンリンクスイッチングのための時間オフセット要件に基づいた、ＴＡオフセットを決定することと、決定したＴＡオフセットを無線通信デバイスに送出することとを含む。いくつかの実施形態では、ＴＡオフセットは、無線通信デバイスからネットワークノードへのアップリンク通信に対応する。
【００２２】
いくつかの実施形態では、ＴＡオフセットはランダムアクセス応答（ＲＡＲ）メッセージで送出される。いくつかの実施形態では、ＴＡオフセットはＴＡコマンド（ＴＡＣ）に含まれる。ＴＡオフセットは、いくつかの例示の実施形態では、２ビットまたは３ビットを用いてもよい。いくつかの実施形態は、無線通信デバイスとネットワークノードとの間の伝播遅延に対応するタイミングアドバンスを、ＲＡＲメッセージのＴＡコマンドで、無線通信デバイスに送出することを含む。
【００２３】
いくつかの実施形態では、ＴＡオフセット値は周波数帯に応じて決まる。いくつかの実施形態では、ＴＡオフセットは、時分割複信の周波数閾値よりも低い第１の周波数帯に対する第１のＴＡオフセット値と、周波数閾値に等しいかまたはそれよりも高い第２の周波数帯に対する第２のＴＡオフセット値とを有し、第１のＴＡオフセット値は第２のＴＡオフセット値とは異なる。いくつかの実施形態では、第１のＴＡオフセット値は第２のＴＡオフセット値よりも大きい。
【００２４】
いくつかの実施形態では、非時分割複信（非ＴＤＤ）の場合、ＴＡオフセットは０である。いくつかの実施形態では、周波数閾値は約６ＧＨｚであり、第１のＴＡオフセットは約２０μｓであり、第２のＴＡオフセットは約１０μｓである。
【００２５】
いくつかの実施形態では、ＴＡオフセットは、特定の周波数帯および特定のフレーム構造に対する、予め定義された定数値である。いくつかの実施形態では、ＴＡオフセットはＮＲ−ＬＴＥの共存とは無関係である。
【００２６】
本開示のいくつかの実施形態は、無線通信デバイスとして動作するように構成された装置を対象とする。デバイスは、少なくとも１つのプロセッサと少なくとも１つのプロセッサに結合された非一時的コンピュータ可読媒体とを含み、非一時的コンピュータ可読媒体は、少なくとも１つのプロセッサによって実行可能な命令を含む。少なくとも１つのプロセッサは、本明細書に開示する方法の動作を実施するように構成される。
【００２７】
本開示のいくつかの実施形態は、装置上で稼働させると、本明細書に開示される方法に対応する動作を装置に実施させる、コンピュータ可読コードを含むコンピュータ可読媒体を対象とする。
【００２８】
更なる実施形態では、装置上で稼働させると、上述の方法のいずれかを装置に実施させる、コンピュータ可読コードを含むコンピュータ可読媒体を提案する。
【００２９】
本明細書の実施形態を用いて、ＮＲのためのアップリンク／ダウンリンクスイッチング時間が定義されてもよい。
【００３０】
添付図面は、本明細書に組み込まれ本明細書の一部を形成するものであり、本開示の様々な実施形態を例証し、更に、明細書本文と併せて、本開示の原理を説明するとともに、本明細書に開示される実施形態を当業者が作成し使用するのを可能にするのに役立つ。図面中、類似の参照番号は同一の要素または機能的に同様の要素を示す。
【図面の簡単な説明】
【００３１】
【図１】従来技術によるダウンリンク送信前のアップリンク送信のタイミングアドバンスを示す図である。
【図２】ＮＲにおけるダウンリンク送信前のアップリンク送信のタイミングアドバンスを示す図である。
【図３】実施形態を実現することができる、例示の無線通信システムを示す概略図である。
【図４】実施形態による、無線通信デバイスにおける方法を概略的に示すフローチャートである。
【図５】実施形態による、ネットワークノードにおける方法を概略的に示すフローチャートである。
【図６】実施形態による、例示の無線通信デバイスを示す概略ブロック図である。
【図７】実施形態による、例示のネットワークノードを示す概略ブロック図である。
【図８】実施形態による、装置を示す概略ブロック図である。
【図９】本明細書に開示されるいくつかの実施形態にしたがって動作するように構成されたＵＥの要素を示すブロック図である。
【図１０】本明細書に開示されるいくつかの実施形態によるネットワークノードの要素を示すブロック図である。
【図１１】本明細書に開示されるいくつかの実施形態を含む無線ネットワークを示す概略ブロック図である。
【図１２】本明細書に開示される様々な実施形態によるＵＥのいくつかの実施形態を示す概略ブロック図である。
【図１３】本明細書に開示されるいくつかの実施形態によって実現される機能が仮想化されてもよい、仮想化環境を示す概略ブロック図である。
【図１４】本明細書に開示されるいくつかの実施形態による、アクセスネットワークおよびコアネットワークを含む電気通信ネットワークを含む通信システムを示す概略ブロック図である。
【図１５】本明細書に開示されるいくつかの実施形態による、ＵＥ、基地局、およびホストコンピュータを示す概略ブロック図である。
【図１６】本明細書に開示されるいくつかの実施形態による無線通信デバイスの動作方法の動作を示すブロック図である。
【図１７】本明細書に開示されるいくつかの実施形態によるネットワークノードの動作方法の動作を示すブロック図である。
【発明を実施するための形態】
【００３２】
以下、実施形態が示される添付図面を参照して、本明細書の実施形態について詳細に記載する。しかしながら、本明細書のこれらの実施形態は多くの異なる形態で具体化され得るものであり、本明細書に記載する実施形態に限定されるものと解釈すべきではない。図面の要素は必ずしも互いに対して縮尺通りではない。
【００３３】
「一実施形態」、「ある実施形態」という言及は、実施形態と関連して記載される特定の特徴、構造、または特性が、少なくとも１つの実施形態に含まれることを意味する。したがって、明細書全体を通して様々な場所に出現する「一実施形態では」という語句の表現は、必ずしも全てが同じ実施形態を指すものではない。
【００３４】
図３は、実施形態を実現することができる、例示の無線通信システム３００の概略図を示している。いくつかの実施形態では、無線通信システム３００は、少なくとも１つの無線通信デバイス３０１と少なくとも１つのネットワークノード３０２とを含んでもよい。しかしながら、本明細書の実施形態は、無線通信デバイス３０１およびネットワークノード３０２の数を限定しない。
【００３５】
いくつかの実施形態では、無線通信システム３００は、例えば、ＵＥ、デバイスツーデバイス（Ｄ２Ｄ）ＵＥ、近接可能（proximity capable）ＵＥ（即ち、ＰｒｏＳｅ  ＵＥ）、マシンタイプＵＥもしくはマシンツーマシン（Ｍ２Ｍ）通信が可能なＵＥ、個人情報端末（ＰＤＡ）、ＰＡＤ、タブレット、移動端末、スマートフォン、ラップトップ内蔵機器（ＬＥＥ）、ラップトップ搭載機器（ＬＭＥ）、ＵＳＢドングルなどとして具体化されてもよい。
【００３６】
いくつかの実施形態では、ネットワークノード３０２は、例えば、ｅＮｏｄｅＢ（ｅＮＢ）、基地局（ＢＳ）、ネットワークコントローラ、無線ネットワークコントローラ（ＲＮＣ）、基地局コントローラ（ＢＳＣ）、中継器、ドナーノード制御中継器、無線基地局（ＢＴＳ）、アクセスポイント（ＡＰ）、送信ポイント、送信ノードなどとして具体化されてもよい。
【００３７】
図３を参照して記載する本明細書の実施形態は、ＮＲにおけるＴＡオフセットを取り入れており、３つの例示の実施形態を以下に示す。それぞれの例示の実施形態において、例えば、最大約２０μｓがＴＡオフセット値に使用されてもよいものと仮定した実施形態も提供される。
【００３８】
３ＧＰＰに準拠していてもよいものなどのいくつかのシステムは、ランダムアクセス応答（ＲＡＲ）に対するＴＡコマンドの最大サイズ（ＴＡＣ、タイミングアドバンスコマンド）が１２ビットであること、ならびにＲＡＲのタイミングアドバンスに関して、粒度がＲＡＲ後の最初のアップリンク送信のサブキャリア間隔に依存してもよいことを含む、ＲＡＲに使用される初期ＴＡコマンドに関連するいくつかの作業仮説を含む（以下の表１を参照）。Ｔｃ＝１／（６４＊３０．７２＊１０６）秒であることに留意のこと。例えば、以下に示す表１は、１２ビットのＴＡコマンドの粒度Ｔｕを示している。
2021502753.tif 000004
【００３９】
いくつかの実施形態では、ＴＡオフセットは、３ＧＰＰ  ＴＳ  ３８．２１１に規定されていることがあり、ＬＴＥに関して３６．２１１で行われていたものに類似しているが、例えば６ＧＨｚ未満および６ＧＨｚ超過の周波数帯では異なる値を有する。
【００４０】
いくつかの実施形態では、異なるフレーム構造および異なる周波数帯に対して一定の時間が定義されてもよい。以下は、オフセット値が、６ＧＨｚ未満の場合は約２０μｓ、６ＧＨｚ超過の場合は１０μｓであると仮定した例である。
ＴＡオフセットは、下記のとおりである。
６２４＊６４  Ｔｃ：６ＧＨｚ未満の帯域のＴＤＤ
３１２＊６４  Ｔｃ：６ＧＨｚ超過の帯域のＴＤＤ
０：非ＴＤＤの場合
【００４１】
いくつかの実施形態では、６ＧＨｚの周波数帯のＴＡオフセットは、６ＧＨｚ未満の場合または６ＧＨｚ超過の場合を参照することによって設定することができる。例えば、６ＧＨｚの周波数帯のＴＡオフセットは、１０μｓまたは３１２＊６４  Ｔｃとして設定することができる。
【００４２】
実施形態はＴＡオフセットの上述の定義に限定するものではないことに留意のこと。いくつかの実施形態では、ＴＡオフセットは、無線通信デバイスとネットワークノードとの間の通信で使用される異なるシナリオにおける、アップリンク／ダウンリンクスイッチングのための時間オフセット要件に少なくとも基づく。異なるシナリオは、異なるフレーム構造、異なる周波数帯、ＬＴＥとの共存などを含んでもよいが、それらに限定されない。例えば、いくつかの実施形態では、ＴＡオフセットは、特定の周波数帯および特定のフレーム構造に対して、予め定義された定数値である。
【００４３】
いくつかの実施形態では、無線通信デバイス３０１は、上述の実施形態を使用することによって、ＴＡオフセットを決定し、次に、決定したＴＡオフセットを、無線通信デバイス３０１からネットワークノード３０２へのアップリンク通信で適用することができる。
【００４４】
いくつかの実施形態では、ＴＡオフセットを適用するとき、無線通信デバイス３０１はまた、ＴＡオフセットに加えて、無線通信デバイスとネットワークノードとの間の伝播遅延に対応するタイミングアドバンスＴＡを適用してもよく、伝播遅延に対応するタイミングアドバンスＴＡは、ＲＡＲメッセージのＴＡコマンドでネットワークノードから送出される。つまり、（ＴＡ＋ＴＡ  ｏｆｆｓｅｔ）のタイミングアドバンスが適用される。
【００４５】
いくつかの実施形態では、伝播遅延に対応するＴＡは、無線通信デバイス３０１からのＵＬ送信の測定に基づいて、その無線通信デバイス３０１に送出されるタイミングアドバンスコマンド（ＴＡＣ）、即ちタイミングアライメントコマンドを通して、ネットワークノード３０２によって維持される。例えば、いくつかの実施形態では、ネットワークノード３０２は、各無線通信デバイス３０１に関して二方向伝播遅延またはラウンドトリップタイムを測定して、その無線通信デバイス３０１に必要なＴＡの値を決定する。
【００４６】
現在考察している例示の実施形態によって、ＴＡコマンドを転送するためにメッセージのヘッドルームが確保されてもよい。そのため、実施形態は、柔軟性に欠けることがあるものの、ＴＡオフセットを転送するための余分なビットを要しないことがある。
【００４７】
いくつかの更なる実施形態では、ＮＲ  ＲＡＲメッセージのＴＡオフセットに特異的な、１つまたは複数の新しいパラメータが定義されてもよい。いくつかの実施形態では、新しいＴＡオフセットパラメータは、例えばＲＡＲメッセージに含まれてもよい。
【００４８】
一例は、２ビットを用いる以下の定義である。
ＴＡオフセット（２ビット）
００：０  Ｔｃ
０１：３１２＊６４  Ｔｃ
１０：６２４＊６４  Ｔｃ
１１：予約
【００４９】
かかる実施形態の別の例は、３ビットを用いる以下に提供するような定義を含むことによって、より多くの値に対応してもよい。
ＴＡオフセット（３ビット）
００１：３１２＊６４  Ｔｃ
０１０：１５６＊６４  Ｔｃ
０１１：７８＊６４  Ｔｃ
１００：３９＊６４  Ｔｃ
１０１：２０＊６４  Ｔｃ
１１０：１０＊６４  Ｔｃ
１１１：０  Ｔｃ
【００５０】
いくつかの実施形態では、ＲＡＮ４仕様書における周波数帯の定義は、ＵＥが取ってもよい最小スイッチング時間を指定してもよい。いくつかの実施形態では、例は、非ＴＤＤ（ＦＤＤなど）帯の場合の０、６ＧＨｚ未満の帯域のＴＤＤの場合の６２４＊６４  Ｔｃ、および／または６ＧＨｚ超過の帯域のＴＤＤの場合の３１２＊６４  Ｔｃを含む。
【００５１】
いくつかの実施形態では、６ＧＨｚの周波数帯のＴＡオフセットは、６ＧＨｚ未満の場合または６ＧＨｚ超過の場合を参照することによって設定することができる。例えば、６ＧＨｚの周波数帯のＴＡオフセットは、１０μｓまたは３１２＊６４  Ｔｃとして設定することができる。
【００５２】
かかる実施形態はＴＡオフセットの上述の定義に限定するものではないことに留意のこと。いくつかの実施形態では、ＴＡオフセットは、無線通信デバイスとネットワークノードとの間の通信で使用される異なるシナリオにおける、アップリンク／ダウンリンクスイッチングのための時間オフセット要件に、少なくとも部分的に基づいてもよい。異なるシナリオは、異なるフレーム構造、異なる周波数帯、ＬＴＥとの共存などを含んでもよいが、それらに限定されない。
【００５３】
いくつかの実施形態では、無線通信デバイス３０１は、ネットワークノード３０２から受信したＴＡオフセットを使用することによって、ＴＡオフセットを決定し（上述の実施形態を参照）、次に、決定したＴＡオフセットを、無線通信デバイス３０１からネットワークノード３０２へのアップリンク通信で適用することができる。
【００５４】
したがって、いくつかの実施形態では、ネットワークノード３０２は、アップリンク／ダウンリンクスイッチングのためのタイミングアドバンス（ＴＡ）オフセットであって、ネットワークノードと無線通信デバイスとの間の通信で使用される異なるシナリオにおける、アップリンク／ダウンリンクスイッチングのための時間オフセット要件に少なくとも基づいた、ＴＡオフセットを決定し、次に、決定したＴＡオフセットを、無線通信デバイスからネットワークノードへのアップリンク通信で適用するため、メッセージ（ＲＡＲなど）で無線通信デバイスに送出してもよい。
【００５５】
ＴＡオフセットを保持するメッセージはＲＡＲメッセージに限定されないことに留意のこと。いくつかの実施形態では、ＴＡオフセットは、任意のメッセージおよび／またはメッセージタイプで、ネットワークノード３０２から無線通信デバイス３０１に送出することができる。
【００５６】
ＴＡオフセットによって使用されるビットの数量は、２ビットまたは３ビットに限定されないことに留意のこと。いくつかの実施形態では、ＴＡオフセットは任意の数のビットを使用することができる。
【００５７】
いくつかの実施形態では、ＴＡオフセットを適用するとき、無線通信デバイス３０１はまた、ＴＡオフセットに加えて、無線通信デバイスとネットワークノードとの間の伝播遅延に対応するタイミングアドバンスＴＡを適用してもよい。いくつかの実施形態では、伝播遅延に対応するタイミングアドバンスＴＡは、ＲＡＲメッセージのＴＡコマンドでネットワークノードから送出されてもよい。かかる実施形態では、（ＴＡ＋ＴＡ  ｏｆｆｓｅｔ）のタイミングアドバンスが適用されてもよい。
【００５８】
したがって、いくつかの実施形態は、ネットワークノード３０２は更に、無線通信デバイスとネットワークノードとの間の伝播遅延に対応するタイミングアドバンスを、ＲＡＲメッセージのＴＡコマンドで、無線通信デバイスに送出してもよい。
【００５９】
いくつかの実施形態では、伝播遅延に対応するＴＡは、タイミングアドバンスコマンド（ＴＡＣ）を通してネットワークノード３０２によって維持されてもよい。例としては、無線通信デバイス３０１からのＵＬ送信の測定に基づいて、その無線通信デバイス３０１に送出される、タイミングアライメントコマンドを挙げることができる。例えば、ネットワークノード３０２は、各無線通信デバイス３０１に関して二方向伝播遅延またはラウンドトリップタイムを測定して、その無線通信デバイス３０１に必要なＴＡの値を決定してもよい。
【００６０】
上述したいくつかの実施形態は、より柔軟であって将来も有効であってもよい。例えば、実施形態は、前方互換性であって伝播遅延による推定ＴＡ値とは無関係であってもよいが、ＴＡオフセットを転送する１つまたは複数のビットを使用してもよい。
【００６１】
更に他の実施形態では、ＮＲ  ＲＡＲメッセージのＴＡコマンドにＴＡオフセットを含む。例えば、かかる実施形態では、ＴＡコマンドが、アップリンク送信に基づいた推定ＴＡ値と、ＵＬ／ＤＬスイッチングのためのＴＡオフセットの両方を含んでもよい。
【００６２】
３ＧＰＰに準拠したものなど、一部のシステムは、特定されたｍｓｇ３のサブキャリア間隔（ＳＣＳ）を含む。かかる取決めでは、ＮＲは、Ｍｓｇ３のＳＣＳを伝達する１ビットを含むＲＭＳＩのＲＡＣＨ構成に対応し、６ＧＨｚ未満では、Ｍｓｇ３のサブキャリア間隔は１５または３０ｋＨｚのどちらかであることができ、６ＧＨｚ超過では、Ｍｓｇ３のサブキャリア間隔は６０または１２０ｋＨｚのどちらかであることができる。
【００６３】
かかる実施形態では、ＴＡオフセットはＴＡコマンドに併合されるので、実施形態は、上記の表１に示したように、異なるＳＣＳに対して同じ粒度を使用することができる。
【００６４】
いくつかの実施形態では、ＴＡオフセット値は、以下の表２に提供する例示の値と一致する形で定義されてもよい。各ＳＣＳに対してＴｕが表１で定義されていることに留意のこと。
2021502753.tif 000005
【００６５】
いくつかの実施形態では、ＲＡＮ４仕様書における周波数帯の定義は、ＵＥが取ってもよい最小スイッチング時間を指定してもよく、値は、例えば、非ＴＤＤ（ＦＤＤなど）帯の場合の０、６ＧＨｚ未満の帯域のＴＤＤの場合の６２４＊６４  Ｔｃ、６ＧＨｚ超過の帯域のＴＤＤの場合の３１２＊６４  Ｔｃであることができる。
【００６６】
いくつかの実施形態では、６ＧＨｚの周波数帯のＴＡオフセットは、６ＧＨｚ未満の場合または６ＧＨｚ超過の場合を参照することによって設定することができる。例えば、６ＧＨｚの周波数帯のＴＡオフセットは、１０μｓまたは３１２＊６４  Ｔｃとして設定することができる。
【００６７】
かかる実施形態は、ＴＡオフセットの上述の定義に限定するものではない。例えば、いくつかの実施形態では、ＴＡオフセットは、無線通信デバイスとネットワークノードとの間の通信で使用される異なるシナリオにおける、アップリンク／ダウンリンクスイッチングのための時間オフセット要件に少なくとも基づく。異なるシナリオは、中でも特に、異なるフレーム構造、異なる周波数帯および／またはＬＴＥとの共存を含んでもよいが、それらに限定されない。
【００６８】
いくつかの実施形態では、無線通信デバイス３０１は、ネットワークノード３０２から受信したＲＡＲメッセージのＴＡＣフィールドにおけるＴＡオフセットを使用することによって、ＴＡオフセットを決定することができ、無線通信デバイス３０１はまた、上述のＴＡＣフィールドを参照することによって、無線通信デバイスとネットワークノードとの間の伝播遅延に対応するタイミングアドバンスＴＡを決定することができる。次に、無線通信デバイス３０１は、決定したＴＡオフセットおよび伝播遅延に対応するＴＡを、無線通信デバイス３０１からネットワークノード３０２へのアップリンク通信に適用してもよい。かかる実施形態では、（ＴＡ＋ＴＡ  ｏｆｆｓｅｔ）のタイミングアドバンスが適用される。
【００６９】
したがって、いくつかの実施形態では、ネットワークノード３０２は、アップリンク／ダウンリンクスイッチングのためのタイミングアドバンス（ＴＡ）オフセットを決定してもよい。例えば、ＴＡオフセットは、ネットワークノードと無線通信デバイスとの間の通信で使用される異なるシナリオにおける、アップリンク／ダウンリンクスイッチングのための時間オフセット要件に少なくとも基づいてもよい。いくつかの実施形態では、ネットワークノード３０２は、無線通信デバイスに対して、無線通信デバイスとネットワークノードとの間の伝播遅延に対応するタイミングアドバンスを決定してもよい。次に、ネットワークノード３０２は、決定したＴＡオフセットおよび伝播遅延に対応するＴＡをＲＡＲメッセージのＴＡＣフィールドに併合し、次に無線通信デバイス３０１に送出してもよい。
【００７０】
いくつかの実施形態では、伝播遅延に対応するＴＡは、無線通信デバイス３０１からのＵＬ送信の測定に基づいて、その無線通信デバイス３０１に送出されてもよいタイミングアドバンスコマンド（ＴＡＣ）、即ちタイミングアライメントコマンドを通して、ネットワークノード３０２によって維持される。例えば、ネットワークノード３０２は、各無線通信デバイス３０１に関して二方向伝播遅延および／またはラウンドトリップタイムを測定して、その無線通信デバイス３０１に必要なＴＡの値を決定する。
【００７１】
かかる実施形態は、より柔軟であってもよく、ＴＡコマンドを転送するためにメッセージのヘッドルームを確保してもよい。それに加えて、ＴＡコマンドはＵＥに対してトランスパレントであってもよい。かかる実施形態は、取り決められたＴＡコマンドビットの数（例えば、１２ビット）が、ＴＡおよびＴＡオフセットの両方を転送するのに十分であるという条件に基づいてもよい。
【００７２】
次に、いくつかの実施形態による、無線通信デバイス３０１における方法４００を示す概略的なフローチャートである、図４を参照する。
【００７３】
方法４００は、ブロック４０１で始まり、ＲＡＲメッセージのタイミングアドバンスコマンドをネットワークノード３０２から受信してもよい。いくつかの実施形態では、タイミングアドバンスコマンドは、タイミングアドバンス（ＴＡ）オフセットと伝播遅延に対応するタイミングアドバンスとを含んでもよい。他のいくつかの実施形態では、タイミングアドバンスコマンドは、伝播遅延に対応するタイミングアドバンスのみを含んでもよい。いくつかの実施形態では、無線通信デバイス３０１は、ＲＡＲメッセージの任意のフィールドまたはネットワークノード３０２から送出される他の任意のメッセージでＴＡオフセットを受信してもよい。いくつかの実施形態では、ＴＡオフセットは、例えば、メッセージの２ビットまたは３ビットを用いてもよいが、それに限定されない。
【００７４】
いくつかの実施形態では、伝播遅延に対応するＴＡは、無線通信デバイス３０１からのＵＬ送信の測定に基づいて、その無線通信デバイス３０１に送出されるタイミングアドバンスコマンド（ＴＡＣ）、即ちタイミングアライメントコマンドを通して、ネットワークノード３０２によって維持される。例えば、ネットワークノード３０２は、各無線通信デバイス３０１に関して二方向伝播遅延またはラウンドトリップタイムを測定して、その無線通信デバイス３０１に必要なＴＡの値を決定してもよい。
【００７５】
いくつかの実施形態では、方法４００はブロック４０２に進んでもよく、無線通信デバイス３０１は、アップリンク／ダウンリンクスイッチングのためのタイミングアドバンス（ＴＡ）オフセットを決定してもよい。いくつかの実施形態では、無線通信デバイス３０１はＴＡオフセット自体を決定してもよい。他のいくつかの実施形態では、無線通信デバイス３０１は、ネットワークノード３０２から受信されるＴＡオフセットを使用することによって、ＴＡオフセットを決定してもよい。
【００７６】
いくつかの実施形態では、ＴＡオフセットは、無線通信デバイスとネットワークノードとの間の通信で使用される異なるシナリオにおける、アップリンク／ダウンリンクスイッチングのための時間オフセット要件に少なくとも基づく。異なるシナリオは、例えば、異なるフレーム構造、異なる周波数帯、ＬＴＥとの共存などであることができるが、それらに限定されない。
【００７７】
例えば、いくつかの実施形態では、異なるフレーム構造および異なる周波数帯に対して一定の時間を定義する。いくつかの実施形態では、ＴＤＤの場合、ＴＡオフセット値は、６ＧＨｚ未満の場合は約２０μｓ、６ＧＨｚ超過の場合は１０μｓである。非ＴＤＤ（ＦＤＤなど）の場合、ＴＡオフセット値は０である。
【００７８】
いくつかの実施形態では、ＲＡＮ４仕様書における周波数帯の定義は、ＵＥが取ってもよい最小スイッチング時間を指定する。例示の値は、非ＴＤＤ（ＦＤＤなど）帯の場合の０、６ＧＨｚ未満の帯域のＴＤＤの場合の６２４＊６４  Ｔｃ、および／または６ＧＨｚ超過の帯域のＴＤＤの場合の３１２＊６４  Ｔｃを含んでもよい。
【００７９】
いくつかの実施形態では、６ＧＨｚの周波数帯のＴＡオフセットは、６ＧＨｚ未満の場合または６ＧＨｚ超過の場合を参照することによって設定することができる。例えば、６ＧＨｚの周波数帯のＴＡオフセットは、１０μｓまたは３１２＊６４  Ｔｃとして設定することができる。
【００８０】
いくつかの実施形態では、方法４００はブロック４０３に進んでもよく、無線通信デバイス３０１は、ＴＡオフセットおよび伝播遅延に対応するＴＡ、即ち（ＴＡ＋ＴＡ  ｏｆｆｓｅｔ）を、無線通信デバイスからネットワークノードへのアップリンク通信で適用してもよい。
【００８１】
次に、いくつかの実施形態による、ネットワークノード３０２における方法５００を示す概略的なフローチャートである、図５を参照する。
【００８２】
方法５００は、アップリンク／ダウンリンクスイッチングのためのタイミングアドバンス（ＴＡ）オフセットを決定する、ブロック５０１の動作で始まってもよい。いくつかの実施形態では、ＴＡオフセットは、無線通信デバイス３０１からネットワークノード３０２へのアップリンク通信で適用されるものである。いくつかの実施形態では、ネットワークノード３０２は、無線通信デバイスとネットワークノードとの間の通信で使用される異なるシナリオにおける、アップリンク／ダウンリンクスイッチングのための時間オフセット要件に少なくとも基づいて、ＴＡオフセットを決定してもよい。異なるシナリオは、例えば、異なるフレーム構造、異なる周波数帯、ＬＴＥとの共存などを含んでもよいが、それらに限定されない。
【００８３】
例えば、いくつかの実施形態では、異なるフレーム構造および異なる周波数帯に対して一定の時間が定義される。一実施形態では、ＴＤＤの場合、ＴＡオフセット値は、６ＧＨｚ未満の場合は約２０μｓ、６ＧＨｚ超過の場合は１０μｓである。非ＴＤＤ（ＦＤＤなど）の場合、ＴＡオフセット値は０である。
【００８４】
一実施形態では、周波数帯の定義は、ＵＥが取ってもよい最小スイッチング時間として指定されてもよい。いくつかの実施形態では、値は、例えば、非ＴＤＤ（ＦＤＤなど）帯の場合の０、６ＧＨｚ未満の帯域のＴＤＤの場合の６２４＊６４  Ｔｃ、および／または６ＧＨｚ超過の帯域のＴＤＤの場合の３１２＊６４  Ｔｃであってもよい。
【００８５】
いくつかの実施形態では、６ＧＨｚの周波数帯のＴＡオフセットは、６ＧＨｚ未満の場合または６ＧＨｚ超過の場合を参照することによって決定することができる。例えば、６ＧＨｚの周波数帯のＴＡオフセットは、１０μｓまたは３１２＊６４  Ｔｃとして決定することができる。
【００８６】
いくつかの実施形態では、方法５００は、ネットワークノード５０２によって、伝播遅延に対応するタイミングアドバンスＴＡを決定することを含む、ブロック５０２の動作を実施してもよい。
【００８７】
いくつかの実施形態では、伝播遅延に対応するＴＡは、無線通信デバイス３０１からのＵＬ送信の測定に基づいて、その無線通信デバイス３０１に送出されるタイミングアドバンスコマンド（ＴＡＣ）を通して、ネットワークノード３０２によって維持される。ＴＡＣの例は、中でも特に、タイミングアライメントコマンドを含んでもよい。例えば、ネットワークノード３０２は、各無線通信デバイス３０１に関して二方向伝播遅延および／またはラウンドトリップタイムを測定して、その無線通信デバイス３０１に必要なＴＡの値を決定してもよい。
【００８８】
一実施形態では、方法５００は、ネットワークノード５０２によって、決定したＴＡオフセットを無線通信デバイス３０１に送出することを含む、ブロック５０３の動作を含んでもよい。いくつかの実施形態では、決定したＴＡオフセットおよび伝播遅延に対応するタイミングアドバンスは、タイミングアドバンス（ＴＡ）コマンドに併合され、ＲＡＲメッセージで送出される。他のいくつかの実施形態では、決定したＴＡオフセットは他の任意のメッセージで送出されてもよく、タイミングアドバンスコマンドは、伝播遅延に対応するタイミングアドバンスのみを含んでもよい。更なる別の実施形態では、決定したＴＡオフセットは、ＲＡＲメッセージの任意のフィールドまたは他の任意のメッセージで無線通信デバイスに送出することができる。いくつかの実施形態では、ＴＡオフセットは、例えば、２ビットまたは３ビットを使用してもよいが、かかる例は非限定的であり、ＴＡオフセットは、いくつかの実施形態にしたがって、４ビット以上を使用してもよい。
【００８９】
次に、いくつかの実施形態による、例示の無線通信デバイス３０１を示す概略ブロック図である、図６を参照する。いくつかの実施形態では、無線通信デバイス３０１は、受信ユニット６０１と、決定ユニット６０２と、適用ユニット６０３とを含んでもよいが、それらに限定されない。いくつかの実施形態では、受信ユニット６０１、決定ユニット６０２、および適用ユニット６０３は、図４に関して上述したような、動作４０１、４０２、および４０３をそれぞれ実施するように構成することができる。
【００９０】
いくつかの実施形態では、受信ユニット６０１は、ＲＡＲメッセージでタイミングアドバンスコマンドをネットワークノード３０２から受信してもよい。いくつかの実施形態では、タイミングアドバンスコマンドは、タイミングアドバンス（ＴＡ）オフセットと伝播遅延に対応するタイミングアドバンスとを含んでもよい。他のいくつかの実施形態では、タイミングアドバンスコマンドは、伝播遅延に対応するタイミングアドバンスのみを含んでもよい。いくつかの実施形態では、受信ユニット６０１は、ＲＡＲメッセージの任意のフィールドまたはネットワークノード３０２から送出される他の任意のメッセージでＴＡオフセットを受信してもよい。いくつかの実施形態では、ＴＡオフセットは、例えば、メッセージの２ビットまたは３ビットを使用してもよいが、かかる実施形態は非限定的であり、いくつかの実施形態では、ＴＡオフセットは４ビット以上を使用してもよい。
【００９１】
いくつかの実施形態では、伝播遅延に対応するＴＡは、無線通信デバイス３０１からのＵＬ送信の測定に基づいて、その無線通信デバイス３０１に送出される、タイミングアライメントコマンドを含んでもよいタイミングアドバンスコマンド（ＴＡＣ）を通して、ネットワークノード３０２によって維持されてもよい。例えば、ネットワークノード３０２は、各無線通信デバイス３０１に関して二方向伝播遅延および／またはラウンドトリップタイムを測定して、その無線通信デバイス３０１に必要なＴＡの値を決定してもよい。
【００９２】
いくつかの実施形態では、決定ユニット６０２は、アップリンク／ダウンリンクスイッチングのためのタイミングアドバンス（ＴＡ）オフセットを決定してもよい。いくつかの実施形態では、決定ユニット６０２はＴＡオフセット自体を決定してもよい。他のいくつかの実施形態では、決定ユニット６０２は、ネットワークノード３０２から受信されるＴＡオフセットを使用することによって、ＴＡオフセットを決定してもよい。
【００９３】
いくつかの実施形態では、ＴＡオフセットは、無線通信デバイスとネットワークノードとの間の通信で使用される異なるシナリオにおける、アップリンク／ダウンリンクスイッチングのための時間オフセット要件に少なくとも基づく。異なるシナリオは、例えば、異なるフレーム構造、異なる周波数帯、ＬＴＥとの共存などを含むことができるが、それらに限定されない。
【００９４】
例えば、いくつかの実施形態では、異なるフレーム構造および異なる周波数帯に対して一定の時間が定義されてもよい。いくつかの実施形態では、ＴＤＤの場合、ＴＡオフセット値は、６ＧＨｚ未満の場合は約２０μｓ、６ＧＨｚ超過の場合は１０μｓである。非ＴＤＤ（ＦＤＤなど）の場合、ＴＡオフセット値は０であってもよい。
【００９５】
いくつかの実施形態では、周波数帯の定義は、ＵＥが取ってもよい最小スイッチング時間に関する仕様を含んでもよい。いくつかの実施形態では、かかる実施形態の例は、非ＴＤＤ（ＦＤＤなど）帯の場合の０、６ＧＨｚ未満の帯域のＴＤＤの場合の６２４＊６４  Ｔｃ、および６ＧＨｚ超過の帯域のＴＤＤの場合の３１２＊６４  Ｔｃの値を含む。
【００９６】
一実施形態では、６ＧＨｚの周波数帯のＴＡオフセットは、６ＧＨｚ未満の場合または６ＧＨｚ超過の場合に基づいて設定することができる。例えば、いくつかの実施形態では、６ＧＨｚの周波数帯のＴＡオフセットは、１０μｓまたは３１２＊６４  Ｔｃとして設定することができる。
【００９７】
いくつかの実施形態では、適用ユニット６０３は、ＴＡオフセットおよび伝播遅延に対応するＴＡ、即ち（ＴＡ＋ＴＡ  ｏｆｆｓｅｔ）を、無線通信デバイスからネットワークノードへのアップリンク通信で適用してもよい。
【００９８】
受信ユニット６０１、決定ユニット６０２、および適用ユニット６０３はそれぞれ、受信回路類および／またはモジュール、決定回路類および／またはモジュール、ならびに適用回路類および／またはモジュールによって実装することができることに留意のこと。
【００９９】
次に、いくつかの実施形態による、例示のネットワークノード３０２を示す概略ブロック図である、図７を参照する。いくつかの実施形態では、ネットワークノード３０２は、決定ユニット７０１と送出ユニット７０２とを含んでもよい。いくつかの実施形態では、決定ユニット７０１および送出ユニット７０２は、本明細書に記載する動作を実施するように構成することができる。
【０１００】
いくつかの実施形態では、決定ユニット７０１は、アップリンク／ダウンリンクスイッチングのためのタイミングアドバンス（ＴＡ）オフセットを決定してもよく、ＴＡオフセットは、無線通信デバイス３０１からネットワークノード３０２へのアップリンク通信で適用されるものである。一実施形態では、決定ユニット７０１は、無線通信デバイスとネットワークノードとの間の通信で使用される異なるシナリオにおける、アップリンク／ダウンリンクスイッチングのための時間オフセット要件に少なくとも基づいて、ＴＡオフセットを決定してもよい。異なるシナリオは、異なるフレーム構造、異なる周波数帯、ＬＴＥとの共存などを含んでもよいが、それらに限定されない。
【０１０１】
例えば、いくつかの実施形態では、異なるフレーム構造および異なる周波数帯に対して一定の時間が定義されてもよい。いくつかの実施形態では、ＴＤＤの場合、ＴＡオフセット値は、６ＧＨｚ未満の場合は約２０μｓ、６ＧＨｚ超過の場合は１０μｓである。非ＴＤＤ（ＦＤＤなど）の場合、ＴＡオフセット値は０であってもよい。
【０１０２】
いくつかの実施形態では、周波数帯の定義は、ＵＥが取ってもよい最小スイッチング時間を指定してもよい。対応するＴＡオフセット値の例は、非ＴＤＤ（ＦＤＤなど）帯の場合の０、６ＧＨｚ未満の帯域のＴＤＤの場合の６２４＊６４  Ｔｃ、および／または６ＧＨｚ超過の帯域のＴＤＤの場合の３１２＊６４  Ｔｃを含んでもよい。
【０１０３】
一実施形態では、６ＧＨｚの周波数帯のＴＡオフセットは、６ＧＨｚ未満の場合または６ＧＨｚ超過の場合を参照することによって設定することができる。例えば、６ＧＨｚの周波数帯のＴＡオフセットは、１０μｓまたは３１２＊６４  Ｔｃとして設定することができる。
【０１０４】
いくつかの実施形態では、決定ユニット７０１は、伝播遅延に対応するタイミングアドバンスＴＡを決定してもよい。
【０１０５】
いくつかの実施形態では、伝播遅延に対応するＴＡは、無線通信デバイス３０１からのＵＬ送信の測定に基づいて、その無線通信デバイス３０１に送出されてもよい、タイミングアライメントコマンドなどのタイミングアドバンスコマンド（ＴＡＣ）を通して、ネットワークノード３０２によって維持される。いくつかの実施形態では、ネットワークノード３０２は、各無線通信デバイス３０１に関して二方向伝播遅延またはラウンドトリップタイムを測定して、その無線通信デバイス３０１に必要なＴＡの値を決定する。
【０１０６】
いくつかの実施形態では、送出ユニット７０２は、決定したＴＡオフセットを無線通信デバイス３０１に送出してもよい。いくつかの実施形態では、決定したＴＡオフセットおよび伝播遅延に対応するタイミングアドバンスは、タイミングアドバンス（ＴＡ）コマンドに併合され、ＲＡＲメッセージで送出されてもよい。他のいくつかの実施形態では、決定したＴＡオフセットは他の任意のメッセージで送出されてもよく、タイミングアドバンスコマンドは、伝播遅延に対応するタイミングアドバンスのみを含んでもよい。更なる別の実施形態では、決定したＴＡオフセットは、ＲＡＲメッセージの任意のフィールドおよび／または他の任意のメッセージで無線通信デバイスに送出されてもよい。いくつかの実施形態では、ＴＡオフセットは、例えば、メッセージの２ビットまたは３ビットを用いてもよいが、それに限定されない。
【０１０７】
次に、いくつかの実施形態による、装置８００を示す概略ブロック図である、図８を参照する。いくつかの実施形態では、装置８００は、無線通信デバイス３０１および／またはネットワークノード３０２など、上述の装置として構成することができる。
【０１０８】
いくつかの実施形態では、装置８００は、中央処理装置（ＣＰＵ）８０１などの少なくとも１つのプロセッサ、コンピュータ可読媒体８０２、およびメモリ８０３を含んでもよいが、それらに限定されない。メモリ８０３は、揮発性（例えば、ランダムアクセスメモリ（ＲＡＭ））および／または不揮発性メモリ（例えば、ハードディスクもしくはフラッシュメモリ）を含んでもよい。いくつかの実施形態では、コンピュータ可読媒体８０２は、プロセッサ８０１によって実行されると、プロセッサ８０１に上述の方法のいずれかを実施させる、コンピュータプログラムおよび／または命令を格納するように構成されてもよい。
【０１０９】
いくつかの実施形態では、コンピュータ可読媒体８０２（非一時的コンピュータ可読媒体など）はメモリ８０３に格納されてもよい。いくつかの実施形態では、コンピュータプログラムは、遠隔位置で、例えばコンピュータプログラム製品８０４に格納され、例えばキャリア８０５を介して、プロセッサ８０１によってアクセス可能であることができる。
【０１１０】
コンピュータ可読媒体８０２および／またはコンピュータプログラム製品８０４は、取外し可能なコンピュータ可読媒体、例えばディスケット、ＣＤ（コンパクトディスク）、ＤＶＤ（デジタルビデオディスク）、フラッシュもしくは類似の取外し可能なメモリ媒体（例えば、コンパクトフラッシュ、ＳＤ（セキュアデジタル）、メモリスティック、ミニＳＤカード、ＭＭＣマルチメディアカード、スマートメディア）、ＨＤ−ＤＶＤ（高精細度ＤＶＤ）、またはブルーレイＤＶＤ、ＵＳＢ（ユニバーサルシリアルバス）ベースの取外し可能なメモリ媒体、磁気テープ媒体、光学記憶媒体、光磁気媒体、バブルメモリに分散および／または格納されてもよく、あるいは、ネットワーク（例えば、イーサネット、ＡＴＭ、ＩＳＤＮ、ＰＳＴＮ、Ｘ．２５、インターネット、ローカルエリアネットワーク（ＬＡＮ）、またはデータパケットをインフラストラクチャノードに搬送することができる類似のネットワーク）を介して、伝播信号として分散されてもよい。
【０１１１】
図９は、本明細書に開示される実施形態にしたがって動作するように構成された、ＵＥ  ９００（無線端末、移動型機器（ＭＥ）、無線通信デバイス、無線通信端末、ユーザ機器、ユーザ機器ノード／端末／デバイスなどとも呼ばれる）の要素を示すブロック図である。図示されるように、ＵＥ  ９００は、少なくとも１つのアンテナ９０７（アンテナとも呼ばれる）と、基地局もしくは無線アクセスネットワークの他の無線送受信機要素とのアップリンクおよびダウンリンク無線通信を提供するように構成された送信機および受信機を含む、少なくとも１つの送受信機回路９０１（送受信機とも呼ばれる）とを含んでもよい。ＵＥ  ９００はまた、送受信機９０１に結合された少なくとも１つのプロセッサ回路９０３（プロセッサとも呼ばれる）と、プロセッサ９０３に結合された少なくとも１つのメモリ回路９０５（メモリとも呼ばれる）とを含んでもよい。メモリ９０５は、プロセッサ９０３によって実行されると、ＵＥに関して本明細書に開示される実施形態による動作をプロセッサ９０３に実施させる、コンピュータ可読プログラムコードを含んでもよい。他の実施形態によれば、プロセッサ９０３はメモリを含むように定義されてもよいので、別個のメモリ回路は不要である。ＵＥ  ９００はまた、プロセッサ９０３に結合されたインターフェース（ユーザインターフェースなど）を含んでもよい。
【０１１２】
本明細書で考察されるように、ＵＥ  ９００の動作は、プロセッサ９０３および／または送受信機９０１によって実施されてもよい。別の方法として、またはそれに加えて、ＵＥ  ９００は、それぞれの動作（例えば、ＵＥの例示の実施形態に関して本明細書で考察される動作）を実施するモジュール、例えばソフトウェアおよび／または回路類を含んでもよい。
【０１１３】
図１０は、本明細書に開示される１つまたは複数の実施形態によるネットワークノード１０００の要素を示すブロック図である。図示されるように、ネットワークノード１０００は、アクセスネットワーク、コアネットワーク、および／または別のシステムノードの１つもしくは複数のノードなど、他のネットワークノードとの通信を提供するように構成された、少なくとも１つのネットワークインターフェース回路１００７（ネットワークインターフェースとも呼ばれる）を含んでもよい。ネットワークノード１０００はまた、ネットワークインターフェース１００７に結合された少なくとも１つのプロセッサ回路１００３（プロセッサとも呼ばれる）と、プロセッサ１００３に結合された少なくとも１つのメモリ回路１６０５（メモリとも呼ばれる）とを含んでもよい。メモリ１００５は、プロセッサ１００３によって実行されると、ネットワークノードに関して本明細書に開示される実施形態による動作をプロセッサ１００３に実施させる、コンピュータ可読プログラムコードを含んでもよい。他の実施形態によれば、プロセッサ１００３はメモリを含むように定義されてもよいので、別個のメモリ回路は不要である。
【０１１４】
本明細書で考察されるように、ネットワークノード１０００の動作は、プロセッサ１００３および／またはネットワークインターフェース１００７によって実施されてもよい。例えば、プロセッサ１００３は、ネットワークインターフェース１００７を通して１つもしくは複数の他のネットワークノードおよび／または他のシステムノードに通信を送出し、ならびに／あるいはネットワークインターフェース１００７を通して１つもしくは複数の他のネットワークノードおよび／または他のシステムノードから通信を受信するように、ネットワークインターフェース１００７を制御してもよい。別の方法として、またはそれに加えて、ネットワークノード１０００は、それぞれの動作（例えば、ネットワークノードの例示の実施形態に関して本明細書で考察される動作）を実施するモジュール、例えば回路類を含んでもよい。
【０１１５】
いくつかの実施形態では、本明細書に記載される動作の一部または全ては、１つまたは複数のネットワークノードがホストする１つまたは複数の仮想環境において実現される、１つまたは複数の仮想機械によって実行される仮想構成要素として実現されてもよい。更に、仮想ノードが無線アクセスノードではないか、または無線接続性（例えば、コアネットワークノード）を要しない実施形態では、ネットワークノードは全体的に仮想化されてもよい。
【０１１６】
動作は、本明細書に開示される実施形態のうちいくつかの特徴、機能、および／または利益の一部を実現するように動作する、１つまたは複数のアプリケーション（あるいは、ソフトウェアインスタンス、仮想アプライアンス、ネットワーク機能、仮想ノード、仮想ネットワーク機能などと呼ばれることがある）によって実現されてもよい。アプリケーションは、処理回路類およびメモリを備えるハードウェアを提供する仮想化環境で稼働する。メモリは、処理回路類によって実行可能な命令を含み、それによってアプリケーションは、本明細書に開示される特徴、利益、および／または機能の１つもしくは複数を提供するように動作する。
【０１１７】
コンピュータ実装方法、装置（システムおよび／またはデバイス）、ならびに／あるいは非一時的コンピュータプログラム製品のブロック図および／またはフローチャート図を参照して、例示の実施形態について本明細書に記載する。ブロック図および／またはフローチャート図のブロック、ならびにブロック図および／またはフローチャート図のブロックの組み合わせは、１つまたは複数のコンピュータ回路によって実施されるコンピュータプログラム命令によって実現できることが理解される。これらのコンピュータプログラム命令は、汎用コンピュータ回路、専用コンピュータ回路、および／または機械を作り出す他のプログラマブルデータ処理回路のプロセッサ回路に提供されてもよく、それによって、コンピュータおよび／または他のプログラマブルデータ処理装置のプロセッサを介して実行する命令は、トランジスタ、メモリ位置に格納された値、およびかかる回路類内の他のハードウェアコンポーネントを変換し制御して、ブロック図および／またはフローチャートの１つもしくは複数のブロックで指定された機能／動作を実現し、それにより、ブロック図および／またはフローチャートのブロックで指定された機能／動作を実現する手段（機能性）および／または構造を作成する。
【０１１８】
これらのコンピュータプログラム命令はまた、コンピュータ、または特定の方式で機能する他のプログラマブルデータ処理装置に命令することができる、有形のコンピュータ可読媒体に格納されてもよく、それによって、コンピュータ可読媒体に格納された命令が、ブロック図および／またはフローチャートの１つもしくは複数のブロックで指定された機能／動作を実現する命令を含む製品を作り出す。したがって、開示される主題の実施形態は、ハードウェアの形、および／またはデジタル信号プロセッサなどのプロセッサで稼働するソフトウェア（ファームウェア、常駐ソフトウェア、マイクロコードなどを含む）の形で具体化されてもよく、それらを集合的に、「回路類」、「モジュール」、またはそれらの変形と呼ぶことができる。
【０１１９】
また、いくつかの代替実現例では、ブロックに示される機能／動作はフローチャートに示される以外の順序で行われてもよいことが注目されるべきである。例えば、関与する機能性／動作に応じて、連続して示される２つのブロックが、実際には実質的に同時に実行されてもよく、またはブロックは、場合によっては逆の順序で実行されてもよい。更に、フローチャートおよび／またはブロック図の所与のブロックの機能性が、複数のブロックに分離されてもよく、ならびに／あるいはフローチャートおよび／またはブロック図の２つ以上のブロックの機能性が、少なくとも部分的に統合されてもよい。最後に、開示される主題の範囲から逸脱することなく、他のブロックが図示されるブロックの間に追加／挿入されてもよく、ならびに／あるいはブロック／操作が省略されてもよい。更に、ブロック図のいくつかは、通信の主な方向を示すため、通信経路上に矢印を含むが、通信は図示される矢印とは反対方向で行われてもよいことが理解されるべきである。
【０１２０】
開示される主題の原理から実質的に逸脱することなく、多くの変形および修正を実施形態に対して行うことができる。かかる全ての変形および修正は、本明細書において開示される主題の範囲内に含まれるものとする。したがって、上述の主題は限定ではなく例証と見なされるべきであり、添付の実施形態の例は、本発明の概念の趣旨および範囲内にある、全てのかかる修正、改良、および他の実施形態を包含するものとする。したがって、法令で認められる最大範囲において、開示される主題の範囲は、以下に示す実施形態の例およびそれらの等価物を含む本開示の許容できる最も広い解釈によって決定されるものとし、上述の詳細な説明によって制限または限定されるものではない。
略語
３ＧＰＰ  第３世代パートナーシッププロジェクト
５Ｇ  第５世代移動体通信技術
ＤＬ  ダウンリンク
ＦＤＤ  周波数分割複信
ＬＴＥ  ロングタームエボリューション
ＮＲ  新無線
ＯＦＤＭ  直交周波数分割多重
ＲＡＮ  無線アクセスネットワーク
ＲＡＲ  ランダムアクセス応答
ＳＣＳ  サブキャリア間隔
ＴＡ  タイミングアドバンス
ＴＡＣ  タイミングアドバンスコマンド
ＴＤＤ  時分割複信
ＵＥ  ユーザ機器
ＵＬ  アップリンク
【０１２１】
更なる定義および実施形態
本開示では、受信ノードおよび送信ノードについて言及する。一例の実施形態では、送信ノードはＵＥであることができ、受信ノードはネットワークノードであることができる。別の例では、送信ノードはネットワークノードであることができ、受信ノードはＵＥであることができる。更に別の例では、送信および受信ノードは、両方をＵＥと見なすことができる、ダイレクトデバイスツーデバイス通信に関与することができる。デバイスツーデバイス通信の例は、近接サービス（ＰｒｏＳｅ）、ＰｒｏＳｅダイレクトディスカバリ、ＰｒｏＳｅダイレクト通信、Ｖ２Ｘ（ＸはＶ、Ｉ、またはＰを表すことができる。例えば、Ｖ２Ｖ、Ｖ２Ｉ、Ｖ２Ｐなど）などである。
【０１２２】
ネットワークノードは、より一般的な用語であり、任意のタイプの無線ネットワークノード、またはＵＥおよび／もしくは別のネットワークノードと通信する任意のネットワークノードに対応することができる。ネットワークノードの例は、ＮｏｄｅＢ、基地局（ＢＳ）、ＭＳＲ  ＢＳなどのマルチスタンダード無線（ＭＳＲ）の無線ノード、ｅＮｏｄｅＢ、ｇＮｏｄｅＢ、ＭｅＮＢ、ＳｅＮＢ、ネットワークコントローラ、無線ネットワークコントローラ（ＲＮＣ）、基地局コントローラ（ＢＳＣ）、路側機（ＲＳＵ）、中継器、ドナーノード制御中継器、無線基地局（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（例えば、ＭＳＣ、ＭＭＥなど）、Ｏ＆Ｍ、ＯＳＳ、ＳＯＮ、ポジショニングノード（例えば、Ｅ−ＳＭＬＣ）などである。
【０１２３】
ノードの別の例は、ユーザ機器であることができ、これは非限定的な用語のユーザ機器（ＵＥ）であり、ネットワークノード、および／またはセルラーもしくは移動通信システムの別のＵＥと通信する、任意のタイプの無線デバイスを指す。ＵＥの例は、ターゲットデバイス、デバイスツーデバイス（Ｄ２Ｄ）ＵＥ、Ｖ２Ｘ  ＵＥ、ＰｒｏＳｅ  ＵＥ、マシンタイプＵＥまたはマシンツーマシン（Ｍ２Ｍ）通信が可能なＵＥ、ＰＤＡ、ｉＰＡＤ、タブレット、移動端末、スマートフォン、ラップトップ内蔵機器（ＬＥＥ）、ラップトップ搭載機器（ＬＭＥ）、ＵＳＢドングルなどである。
【０１２４】
無線アクセス技術（ＲＡＴ）という用語は、任意のＲＡＴ、例えば、ＵＴＲＡ、Ｅ−ＵＴＲＡ、狭帯域モノのインターネット（ＮＢ−ＩｏＴ）、ＷｉＦｉ、Ｂｌｕｅｔｏｏｔｈ、次世代ＲＡＴ（ＮＲ）、４Ｇ、５Ｇなどを指してもよい。第１および第２のノードのいずれかは、単一または複数のＲＡＴに対応することができてもよい。本明細書で使用される信号という用語は、任意の物理的信号または物理的チャネルであることができる。ダウンリンクの物理的信号の例は、ＰＳＳ、ＳＳＳ、ＣＲＳ、ＰＲＳ、ＣＳＩ−ＲＳ、ＤＭＲＳ、ＮＲＳ、ＮＰＳＳ、ＮＳＳＳ、ＳＳ、ＭＢＳＦＮ  ＲＳなどの参照信号である。アップリンクの物理的信号の例は、ＳＲＳ、ＤＭＲＳなどの参照信号である。本明細書で使用される（例えば、チャネル受信の文脈における）物理的チャネルという用語は、「チャネル」とも呼ばれる。物理的チャネルは、高次レイヤ情報（例えば、ＲＲＣ、論理制御チャネルなど）を保持する。ダウンリンクの物理的チャネルの例は、ＰＢＣＨ、ＮＰＢＣＨ、ＰＤＣＣＨ，ＰＤＳＣＨ、ｓＰＤＳＣＨ、ＭＰＤＣＣＨ、ＮＰＤＣＣＨ、ＮＰＤＳＣＨ、Ｅ−ＰＤＣＣＨなどである。アップリンクの物理的チャネルの例は、ｓＰＵＣＣＨ、ｓＰＵＳＣＨ、ＰＵＳＣＨ、ＰＵＣＣＨ、ＮＰＵＳＣＨ、ＰＲＡＣＨ、ＮＰＲＡＣＨなどである。
【０１２５】
本明細書で使用される時間リソースという用語は、時間長および／または頻度に関して表現される、任意のタイプの物理リソースまたは無線リソースに対応してもよい。信号は、時間リソースを通じて無線ノードによって送信または受信される。時間リソースの例は、シンボル、時間スロット、サブフレーム、無線フレーム、ＴＴＩ、インターリービング時間などである。
【０１２６】
本明細書に記載する主題は、任意の適切な構成要素を使用する任意の適切なタイプのシステムで実現されてもよいが、本明細書に開示する実施形態は、図１１に示される例示の無線ネットワークなどの無線ネットワークに関連して記載する。単純にするため、図１１の無線ネットワークは、ネットワークＱＱ１０６、ネットワークノードＱＱ１６０およびＱＱ１６０ｂ、ならびにＷＤ  ＱＱ１１０、ＱＱ１１０ｂ、およびＱＱ１１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノードＱＱ１６０および無線デバイス（ＷＤ）ＱＱ１１０が更に詳細に図示されている。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【０１２７】
無線ネットワークは、任意のタイプの通信、電気通信、データ、移動体、および／または無線ネットワーク、もしくは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な２Ｇ、３Ｇ、４Ｇ、もしくは５Ｇ規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【０１２８】
ネットワークＱＱ１０６は、１つもしくは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間で通信できるようにする他のネットワークを含んでもよい。
【０１２９】
ネットワークノードＱＱ１６０およびＷＤ  ＱＱ１１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線もしくは無線接続のどちらかを介するデータおよび／または信号の通信を容易にするかもしくはそれに関与することができる、他の任意の構成要素またはシステムを含んでもよい。
【０１３０】
本明細書で使用するとき、ネットワークノードは、無線デバイスと、ならびに／あるいは無線デバイスへの無線アクセスを可能にする、および／または無線アクセスを提供する、および／または無線ネットワークにおける他の機能（例えば、管理）を実施する、無線ネットワーク内の他のネットワークノードもしくは機器と、直接もしくは間接的に通信することができる、通信するように構成された、通信するように配置された、ならびに／あるいは通信するように動作可能である、機器を指す。ネットワークノードの例としては、アクセスポイント（ＡＰ）（例えば、無線アクセスポイント）、基地局（ＢＳ）（例えば、無線基地局、ノードＢ、エボルブドノードＢ（ｅＮＢ）、および第５世代ノードＢ（ｇＮＢ））が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つまたは複数（もしくは全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、ポジショニングノード（例えば、Ｅ−ＳＭＬＣ）、ならびに／あるいはＭＤＴが挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線ネットワークにアクセスしている無線デバイスに何らかのサービスを提供できるようにすること、および／または無線ネットワークにアクセスしている無線デバイスに何らかのサービスを提供することが、可能である、そのように構成されている、そのように配置されている、ならびに／あるいはそれを可能にするように動作可能である、任意の適切なデバイス（またはデバイス群）を表してもよい。
【０１３１】
図１１では、ネットワークノードＱＱ１６０は、処理回路構成ＱＱ１７０と、デバイス可読媒体ＱＱ１８０と、インターフェースＱＱ１９０と、補助機器ＱＱ１８４と、電源ＱＱ１８６と、電源回路構成ＱＱ１８７と、アンテナＱＱ１６２とを含む。図１１の例示の無線ネットワークに示されるネットワークノードＱＱ１６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、機構、機能、および方法を実施するのに必要な、ハードウェアおよび／またはソフトウェアの任意の適切な組み合わせを含むことが理解されるべきである。更に、ネットワークノードＱＱ１６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体ＱＱ１８０は、複数の別個のハードドライブならびに複数のＲＡＭモジュールを備えてもよい）。
【０１３２】
同様に、ネットワークノードＱＱ１６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノードＱＱ１６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノードＱＱ１６０は、複数の無線アクセス技術（ＲＡＴ）に対応するように構成されてもよい。かかる実施形態では、いくつかの構成要素が重複してもよく（例えば、異なるＲＡＴに対して別個のデバイス可読媒体ＱＱ１８０）、いくつかの構成要素は再使用されてもよい（例えば、同じアンテナＱＱ１６２がＲＡＴによって共有されてもよい）。ネットワークノードＱＱ１６０はまた、例えば、ＧＳＭ、ＷＣＤＭＡ、ＬＴＥ、ＮＲ、ＷｉＦｉ、またはブルートゥース無線技術など、ネットワークノードＱＱ１６０に統合された異なる無線技術に関する複数組の様々な図示される構成要素を含んでもよい。これらの無線技術は、同じまたは異なるチップもしくはチップセット、およびネットワークノードＱＱ１６０内の他の構成要素に統合されてもよい。
【０１３３】
処理回路構成ＱＱ１７０は、ネットワークノードによって提供されるものとして本明細書に記載される、任意の決定、計算、または類似の動作（例えば、特定の取得動作）を実施するように構成される。処理回路構成ＱＱ１７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成ＱＱ１７０によって取得される情報を処理すること、ならびに前記処理の結果として決定を行うことを含んでもよい。
【０１３４】
処理回路構成ＱＱ１７０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のネットワークノードＱＱ１６０の構成要素（デバイス可読媒体ＱＱ１８０、ネットワークノードＱＱ１６０の機能性など）と併せて提供するように動作可能な、ハードウェア、ソフトウェア、および／または符号化論理の組み合わせのうち、１つもしくは複数のものの組み合わせを備えてもよい。例えば、処理回路構成ＱＱ１７０は、デバイス可読媒体ＱＱ１８０に、または処理回路構成ＱＱ１７０内のメモリに格納された命令を実行してもよい。かかる機能性は、本明細書で考察する様々な無線の機構、機能、または利益のいずれかを提供することを含んでもよい。かかる実施形態では、処理回路構成ＱＱ１７０はシステムオンチップ（ＳＯＣ）を含んでもよい。
【０１３５】
いくつかの実施形態では、処理回路構成ＱＱ１７０は、無線周波数（ＲＦ）送受信機回路構成ＱＱ１７２およびベースバンド処理回路構成ＱＱ１７４の１つまたは複数を含んでもよい。いくつかの実施形態では、無線周波数（ＲＦ）送受信機回路構成ＱＱ１７２およびベースバンド処理回路構成ＱＱ１７４は、別個のチップ（もしくはチップセット）、ボード、または無線ユニットおよびデジタルユニットなどのユニット上にあってもよい。代替実施形態では、ＲＦ送受信機回路構成ＱＱ１７２およびベースバンド処理回路構成ＱＱ１７４の一部または全ては、同じチップもしくはチップセット、ボード、またはユニットの上にあってもよい。
【０１３６】
特定の実施形態では、ネットワークノード、基地局、ｅＮＢ、または他のかかるネットワークデバイスによって提供されるものとして本明細書に記載する機能性の一部または全ては、デバイス可読媒体ＱＱ１８０または処理回路構成ＱＱ１７０内のメモリに格納された命令を実行する、処理回路構成ＱＱ１７０によって実施されてもよい。代替実施形態では、機能性の一部または全ては、ハードワイヤード方式などで、別個のまたは離散的なデバイス可読媒体に格納された命令を実行することなく、処理回路構成ＱＱ１７０によって提供されてもよい。それらの実施形態のいずれかにおいて、デバイス可読記憶媒体に格納された命令を実行するか否かにかかわらず、処理回路構成ＱＱ１７０は、記載される機能性を実施するように構成することができる。かかる機能性によって提供される利益は、処理回路構成ＱＱ１７０のみに、またはネットワークノードＱＱ１６０の他の構成要素に限定されず、ネットワークノードＱＱ１６０全体ならびに／あるいはエンドユーザおよび無線ネットワーク全般によって享受される。
【０１３７】
デバイス可読媒体ＱＱ１８０は、非限定的に、永続記憶装置、固体メモリ、リモート実装メモリ、磁気媒体、光学媒体、ランダムアクセスメモリ（ＲＡＭ）、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、および／または他の任意の揮発性もしくは不揮発性非一時的デバイス可読および／またはコンピュータ実行可能メモリデバイスを含む、処理回路構成ＱＱ１７０によって使用されてもよい情報、データ、および／または命令を格納する、任意の形態の揮発性または不揮発性コンピュータ可読メモリを含んでもよい。デバイス可読媒体ＱＱ１８０は、論理、規則、符号、テーブルなどの１つもしくは複数を含むコンピュータプログラム、ソフトウェア、アプリケーションを含む、任意の適切な命令、データまたは情報、および／または処理回路構成ＱＱ１７０によって実行され、ネットワークノードＱＱ１６０によって利用され得る他の命令を格納してもよい。デバイス可読媒体ＱＱ１８０は、処理回路構成ＱＱ１７０によって行われる任意の計算、および／またはインターフェースＱＱ１９０を介して受信される任意のデータを格納するのに使用されてもよい。いくつかの実施形態では、処理回路構成ＱＱ１７０およびデバイス可読媒体ＱＱ１８０は、統合されたものと見なされてもよい。
【０１３８】
インターフェースＱＱ１９０は、ネットワークノードＱＱ１６０、ネットワークＱＱ１０６、および／またはＷＤ  ＱＱ１１０の間における、シグナリングならびに／あるいはデータの有線または無線通信で使用される。図示されるように、インターフェースＱＱ１９０は、例えば、有線接続を通じてネットワークＱＱ１０６との間でデータを送受信する、ポート／端子ＱＱ１９４を備える。インターフェースＱＱ１９０はまた、アンテナＱＱ１６２に、または特定の実施形態ではその一部に連結されてもよい、無線フロントエンド回路構成ＱＱ１９２を含む。無線フロントエンド回路構成ＱＱ１９２はフィルタＱＱ１９８および増幅器ＱＱ１９６を備える。無線フロントエンド回路構成ＱＱ１９２はアンテナＱＱ１６２および処理回路構成ＱＱ１７０に接続されてもよい。無線フロントエンド回路構成は、アンテナＱＱ１６２と処理回路構成ＱＱ１７０との間で通信される信号を調整するように構成されてもよい。無線フロントエンド回路構成ＱＱ１９２は、無線接続を介して他のネットワークノードまたはＷＤに対して送出されるべきである、デジタルデータを受信してもよい。無線フロントエンド回路構成ＱＱ１９２は、フィルタＱＱ１９８および／または増幅器ＱＱ１９６の組み合わせを使用して、デジタルデータを、適切なチャネルおよび帯域幅パラメータを有する無線信号へと変換してもよい。無線信号は次に、アンテナＱＱ１６２を介して送信されてもよい。同様に、データを受信するとき、アンテナＱＱ１６２は無線信号を収集してもよく、それらは次に、無線フロントエンド回路構成ＱＱ１９２によってデジタルデータへと変換される。デジタルデータは処理回路構成ＱＱ１７０に渡されてもよい。他の実施形態では、インターフェースは、異なる構成要素および／または構成要素の異なる組み合わせを備えてもよい。
【０１３９】
特定の代替実施形態では、ネットワークノードＱＱ１６０は別個の無線フロントエンド回路構成ＱＱ１９２を含まなくてもよく、代わりに、処理回路構成ＱＱ１７０は、無線フロントエンド回路構成ＱＱ１９２を備えてもよく、別個の無線フロントエンド回路構成ＱＱ１９２なしでアンテナＱＱ１６２に接続されてもよい。同様に、いくつかの実施形態では、ＲＦ送受信機回路構成ＱＱ１７２の全てまたは一部はインターフェースＱＱ１９０の一部と見なされてもよい。更に他の実施形態では、インターフェースＱＱ１９０は、無線ユニット（図示なし）の一部として、１つもしくは複数のポートまたは端子ＱＱ１９４、無線フロントエンド回路構成ＱＱ１９２、およびＲＦ送受信機回路構成ＱＱ１７２を含んでもよく、インターフェースＱＱ１９０は、デジタルユニット（図示なし）の一部である、ベースバンド処理回路構成ＱＱ１７４と通信してもよい。
【０１４０】
アンテナＱＱ１６２は、無線信号を送出および／または受信するように構成された、１つもしくは複数のアンテナまたはアンテナアレイを含んでもよい。アンテナＱＱ１６２は、無線フロントエンド回路構成ＱＱ１９０に連結されてもよく、データおよび／または信号を無線で送受信することができる、任意のタイプのアンテナであってもよい。いくつかの実施形態では、アンテナＱＱ１６２は、例えば、２ＧＨｚ〜６６ＧＨｚの無線信号を送受信するように動作可能な、１つまたは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナＱＱ１６２は、ネットワークノードＱＱ１６０とは別個であってもよく、インターフェースまたはポートを通してネットワークノードＱＱ１６０に接続可能であってもよい。
【０１４１】
アンテナＱＱ１６２、インターフェースＱＱ１９０、および／または処理回路構成ＱＱ１７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナＱＱ１６２、インターフェースＱＱ１９０、および／または処理回路構成ＱＱ１７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【０１４２】
電力回路構成ＱＱ１８７は、電力管理回路構成を含むかまたはそれに連結されてもよく、ネットワークノードＱＱ１６０の構成要素に、本明細書に記載する機能性を実施する電力を供給するように構成される。電力回路構成ＱＱ１８７は電源ＱＱ１８６から電力を受信してもよい。電源ＱＱ１８６および／または電力回路構成ＱＱ１８７は、それぞれの構成要素に適した形態で（例えば、それぞれの構成要素に必要な電圧および電流レベルで）、ネットワークノードＱＱ１６０の様々な構成要素に電力を提供するように構成されてもよい。電源ＱＱ１８６は、電力回路構成ＱＱ１８７および／またはネットワークノードＱＱ１６０に含まれるか、あるいはその外部にあってもよい。例えば、ネットワークノードＱＱ１６０は、入力回路構成、または電気ケーブルなどのインターフェースを介して、外部電源（例えば、電気コンセント）に接続可能であってもよく、外部電源は電力を電力回路構成ＱＱ１８７に供給する。更なる例として、電源ＱＱ１８６は、電力回路構成ＱＱ１８７に接続されるかまたは統合される、電池もしくは電池パックの形態の電源の供給源を含んでもよい。電池は、外部電源が故障した場合のバックアップ電力を提供してもよい。光起電デバイスなど、他のタイプの電源も使用されてもよい。
【０１４３】
ネットワークノードＱＱ１６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図１１に示されるものを超える追加の構成要素を含んでもよい。例えば、ネットワークノードＱＱ１６０は、情報をネットワークノードＱＱ１６０に入力するのを可能にし、情報をネットワークノードＱＱ１６０から出力するのを可能にする、ユーザインターフェース機器を含んでもよい。これは、ネットワークノードＱＱ１６０に対する診断、保守、修理、および他の管理機能をユーザが実施するのを可能にしてもよい。
【０１４４】
本明細書で使用するとき、無線デバイス（ＷＤ）は、ネットワークノードおよび／または他の無線デバイスと無線で通信することができる、そのように構成されている、そのように配置されている、ならびに／あるいはそのように動作可能であるデバイスを指す。別段の記述がない限り、ＷＤという用語は、本明細書ではユーザ機器（ＵＥ）および移動型機器（ＭＥ）と交換可能に使用されてもよい。無線通信には、電磁波、電波、赤外線波、および／または空気を通して情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、モバイルフォン、携帯電話、ボイスオーバーＩＰ（ＶｏＩＰ）電話、無線ローカルループ電話、デスクトップコンピュータ、個人情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマ構内設備（ＣＰＥ）、車載型無線端末デバイスなどが挙げられるが、それらに限定されない。ＷＤは、例えば、サイドリンク通信の３ＧＰＰ規格を実現することによるデバイス間（Ｄ２Ｄ）通信、車車間（Ｖ２Ｖ）、路車間（Ｖ２Ｉ）、ビークルトゥエブリシング（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、マシンツーマシン（Ｍ２Ｍ）デバイスであってもよい。１つの特定の例として、ＷＤは、３ＧＰＰ狭帯域の物のインターネット（ＮＢ−ＩｏＴ）規格を実現するＵＥであってもよい。かかる機械またはデバイスの特定の例は、センサ、電力計などの計量デバイス、工業用機械類、または家庭用もしくは個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【０１４５】
図示されるように、無線デバイスＱＱ１１０は、アンテナＱＱ１１１、インターフェースＱＱ１１４、処理回路構成ＱＱ１２０、デバイス可読媒体ＱＱ１３０、ユーザインターフェース機器ＱＱ１３２、補助機器ＱＱ１３４、電源ＱＱ１３６、および電力回路構成ＱＱ１３７を含む。ＷＤ  ＱＱ１１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  ＱＱ１１０が対応する異なる無線技術に対して、図示される構成要素のうち１つまたは複数のものの複数組を含んでもよい。これらの無線技術は、ＷＤ  ＱＱ１１０内の他の構成要素と同じもしくは異なるチップまたはチップセットに統合されてもよい。
【０１４６】
アンテナＱＱ１１１は、無線信号を送出および／または受信するように構成された、１つもしくは複数のアンテナまたはアンテナアレイを含んでもよく、インターフェースＱＱ１１４に接続される。特定の代替実施形態では、アンテナＱＱ１１１は、ＷＤ  ＱＱ１１０とは別個であってもよく、インターフェースまたはポートを通してＷＤ  ＱＱ１１０に接続可能であってもよい。アンテナＱＱ１１１、インターフェースＱＱ１１４、および／または処理回路構成ＱＱ１２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナＱＱ１１１は、インターフェースと見なされてもよい。
【０１４７】
図示されるように、インターフェースＱＱ１１４は無線フロントエンド回路構成ＱＱ１１２およびアンテナＱＱ１１１を備える。無線フロントエンド回路構成ＱＱ１１２は、１つまたは複数のフィルタＱＱ１１８および増幅器ＱＱ１１６を備える。無線フロントエンド回路構成ＱＱ１１４は、アンテナＱＱ１１１および処理回路構成ＱＱ１２０に接続され、アンテナＱＱ１１１と処理回路構成ＱＱ１２０との間で通信される信号を調整するように構成される。無線フロントエンド回路構成ＱＱ１１２は、アンテナＱＱ１１１に連結されるか、またはその一部であってもよい。いくつかの実施形態では、ＷＤ  ＱＱ１１０は、別個の無線フロントエンド回路構成ＱＱ１１２を含まなくてもよく、それよりもむしろ、処理回路構成ＱＱ１２０は、無線フロントエンド回路構成を備えてもよく、アンテナＱＱ１１１に接続されてもよい。同様に、いくつかの実施形態では、ＲＦ送受信機回路構成ＱＱ１２２の一部または全てはインターフェースＱＱ１１４の一部と見なされてもよい。無線フロントエンド回路構成ＱＱ１１２は、無線接続を介して他のネットワークノードまたはＷＤに対して送出されるべきである、デジタルデータを受信してもよい。無線フロントエンド回路構成ＱＱ１１２は、フィルタＱＱ１１８および／または増幅器ＱＱ１１６の組み合わせを使用して、デジタルデータを、適切なチャネルおよび帯域幅パラメータを有する無線信号へと変換してもよい。無線信号は次に、アンテナＱＱ１１１を介して送信されてもよい。同様に、データを受信するとき、アンテナＱＱ１１１は無線信号を収集してもよく、それらは次に、無線フロントエンド回路構成ＱＱ１１２によってデジタルデータへと変換される。デジタルデータは処理回路構成ＱＱ１２０に渡されてもよい。他の実施形態では、インターフェースは、異なる構成要素および／または構成要素の異なる組み合わせを備えてもよい。
【０１４８】
処理回路構成ＱＱ１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のＷＤ  ＱＱ１１０の構成要素（デバイス可読媒体ＱＱ１３０、ＷＤ  ＱＱ１１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の機構または利益のいずれかを提供することを含んでもよい。例えば、処理回路構成ＱＱ１２０は、デバイス可読媒体ＱＱ１３０に、または処理回路構成ＱＱ１２０内のメモリに格納された命令を実行して、本明細書に開示する機能性を提供してもよい。
【０１４９】
図示されるように、処理回路構成ＱＱ１２０は、ＲＦ送受信機回路構成ＱＱ１２２、ベースバンド処理回路構成ＱＱ１２４、およびアプリケーション処理回路構成ＱＱ１２６の１つまたは複数を含む。他の実施形態では、処理回路構成は、異なる構成要素および／または構成要素の異なる組み合わせを備えてもよい。特定の実施形態では、ＷＤ  ＱＱ１１０の処理回路構成ＱＱ１２０はＳＯＣを備えてもよい。いくつかの実施形態では、ＲＦ送受信機回路構成ＱＱ１２２、ベースバンド処理回路構成ＱＱ１２４、およびアプリケーション処理回路構成ＱＱ１２６は、別個のチップまたはチップセット上にあってもよい。代替実施形態では、ベースバンド処理回路構成ＱＱ１２４およびアプリケーション処理回路構成ＱＱ１２６の一部または全ては、１つのチップまたはチップセットに組み入れられてもよく、ＲＦ送受信機回路構成ＱＱ１２２は別個のチップまたはチップセット上にあってもよい。更なる代替実施形態では、ＲＦ送受信機回路構成ＱＱ１２２およびベースバンド処理回路構成ＱＱ１２４の一部または全てが、同じチップまたはチップセット上にあってもよく、アプリケーション処理回路構成ＱＱ１２６が別個のチップまたはチップセット上にあってもよい。更なる他の代替実施形態では、ＲＦ送受信機回路構成ＱＱ１２２、ベースバンド処理回路構成ＱＱ１２４、およびアプリケーション処理回路構成ＱＱ１２６の一部または全てが、同じチップまたはチップセットに組み入れられてもよい。いくつかの実施形態では、ＲＦ送受信機回路構成ＱＱ１２２はインターフェースＱＱ１１４の一部であってもよい。ＲＦ送受信機回路構成ＱＱ１２２は、処理回路構成ＱＱ１２０に対するＲＦ信号を調整してもよい。
【０１５０】
特定の実施形態では、ＷＤによって実施されるものとして本明細書に記載される機能性の一部または全ては、特定の実施形態ではコンピュータ可読記憶媒体であってもよい、デバイス可読媒体ＱＱ１３０に格納された命令を処理回路構成ＱＱ１２０が実行することによって提供されてもよい。代替実施形態では、機能性の一部または全ては、ハードワイヤード方式などで、別個のまたは離散的なデバイス可読記憶媒体に格納された命令を実行することなく、処理回路構成ＱＱ１２０によって提供されてもよい。これら特定の実施形態のいずれかにおいて、デバイス可読記憶媒体に格納された命令を実行するか否かにかかわらず、処理回路構成ＱＱ１２０は、記載される機能性を実施するように構成することができる。かかる機能性によって提供される利益は、処理回路構成ＱＱ１２０のみに、またはＷＤ  ＱＱ１１０の他の構成要素に限定されず、ＷＤ  ＱＱ１１０全体ならびに／あるいはエンドユーザおよび無線ネットワーク全般によって享受される。
【０１５１】
処理回路構成ＱＱ１２０は、ＷＤによって実施されるものとして本明細書に記載される、任意の決定、計算、または類似の動作（例えば、特定の取得動作）を実施するように構成されてもよい。処理回路構成ＱＱ１２０によって実施されるようなこれらの動作は、例えば、取得された情報を他の情報に変換すること、取得された情報または変換された情報をＷＤ  ＱＱ１１０によって格納された情報と比較すること、ならびに／あるいは取得された情報または変換された情報に基づいて１つもしくは複数の動作を実施することによって、処理回路構成ＱＱ１２０によって取得される情報を処理すること、ならびに前記処理の結果として決定を行うことを含んでもよい。
【０１５２】
デバイス可読媒体ＱＱ１３０は、１つもしくは複数の論理、規則、符号、テーブルなどを含む、コンピュータプログラム、ソフトウェア、アプリケーション、ならびに／あるいは処理回路構成ＱＱ１２０によって実行することができる他の命令を格納するように動作可能であってもよい。デバイス可読媒体ＱＱ１３０としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは、処理回路構成ＱＱ１２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成ＱＱ１２０およびデバイス可読媒体ＱＱ１３０は、統合されたものと見なされてもよい。
【０１５３】
ユーザインターフェース機器ＱＱ１３２は、人間のユーザがＷＤ  ＱＱ１１０と相互作用することを可能にする構成要素を提供してもよい。かかる相互作用は、視覚、聴覚、触覚など、多くの形態のものであってもよい。ユーザインターフェース機器ＱＱ１３２は、ユーザに対する出力を生成し、ユーザがＷＤ  ＱＱ１１０への入力を提供できるように動作可能であってもよい。相互作用のタイプは、ＷＤ  ＱＱ１１０にインストールされるユーザインターフェース機器ＱＱ１３２のタイプに応じて変わってもよい。例えば、ＷＤ  ＱＱ１１０がスマートフォンの場合、相互作用はタッチスクリーンを介してもよく、ＷＤ  ＱＱ１１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器ＱＱ１３２は、入力インターフェース、デバイス、および回路、ならびに出力インターフェース、デバイス、および回路を含んでもよい。ユーザインターフェース機器ＱＱ１３２は、ＷＤ  ＱＱ１１０への情報の入力を可能にするように構成され、処理回路構成ＱＱ１２０に接続されて、処理回路構成ＱＱ１２０が入力情報を処理するのを可能にする。ユーザインターフェース機器ＱＱ１３２は、例えば、マイクロフォン、近接センサもしくは他のセンサ、キー／ボタン、タッチディスプレイ、１つもしくは複数のカメラ、ＵＳＢポート、または他の入力回路構成を含んでもよい。ユーザインターフェース機器ＱＱ１３２はまた、ＷＤ  ＱＱ１１０からの情報の出力を可能にし、処理回路構成ＱＱ１２０が情報をＷＤ  ＱＱ１１０から出力するのを可能にするように構成される。ユーザインターフェース機器ＱＱ１３２は、例えば、スピーカー、ディスプレイ、振動回路構成、ＵＳＢポート、ヘッドフォンインターフェース、または他の出力回路構成を含んでもよい。ユーザインターフェース機器ＱＱ１３２の１つまたは複数の入力および出力インターフェース、デバイス、ならびに回路を使用して、ＷＤ  ＱＱ１１０は、エンドユーザおよび／または無線ネットワークと通信し、それらが本明細書に記載する機能性から利益を得ることを可能にしてもよい。
【０１５４】
補助機器ＱＱ１３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器ＱＱ１３４を含むこと、またその構成要素のタイプは、実施形態および／またはシナリオに応じて異なってもよい。
【０１５５】
電源ＱＱ１３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ＱＱ１１０は、本明細書に記載または示される任意の機能性を実施するのに電源ＱＱ１３６からの電力を必要とするＷＤ  ＱＱ１１０の様々な部分に、電源ＱＱ１３６から電力を送達する、電力回路構成ＱＱ１３７を更に備えてもよい。電力回路構成ＱＱ１３７は、特定の実施形態では、電力管理回路構成を含んでもよい。電力回路構成ＱＱ１３７は、それに加えてまたはその代わりに、外部電源から電力を受信するように動作可能であってもよく、その場合、ＷＤ  ＱＱ１１０は、入力回路構成、または電力ケーブルなどのインターフェースを介して、外部電源（電気コンセントなど）に接続可能であってもよい。電力回路構成ＱＱ１３７はまた、特定の実施形態では、外部電源から電源ＱＱ１３６に電力を送達するように動作可能であってもよい。これは、例えば、電源ＱＱ１３６を充電するものであってもよい。電力回路構成ＱＱ１３７は、電源ＱＱ１３６からの電力に対して任意のフォーマット化、変換、または他の修正を実施して、電力が供給されるＷＤ  ＱＱ１１０のそれぞれの構成要素に適した電力にしてもよい。
【０１５６】
図１２は、本明細書に記載する様々な態様による、ＵＥの一実施形態を示す。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ＱＱ２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって特定される任意のＵＥであってもよい。図１２に示されるようなＵＥ  ＱＱ２００は、３ＧＰＰのＧＳＭ、ＵＭＴＳ、ＬＴＥ、および／または５Ｇ規格など、第３世代パートナーシッププロジェクト（３ＧＰＰ）によって普及される１つまたは複数の通信規格にしたがった通信向けに構成されたＷＤの一例である。上述したように、ＷＤおよびＵＥという用語は交換可能に使用されてもよい。したがって、図１２はＵＥであるが、本明細書で考察する構成要素はＷＤに等しく適用可能であり、その逆もまた真である。
【０１５７】
図１２では、ＵＥ  ＱＱ２００は、入出力インターフェースＱＱ２０５、無線周波数（ＲＦ）インターフェースＱＱ２０９、ネットワーク接続インターフェースＱＱ２１１、メモリＱＱ２１５（ランダムアクセスメモリ（ＲＡＭ）ＱＱ２１７、読出し専用メモリ（ＲＯＭ）ＱＱ２１９、および記憶媒体ＱＱ２２１などを含む）、通信サブシステムＱＱ２３１、電源ＱＱ２３３、および／または他の任意の構成要素、あるいはそれらの任意の組み合わせに動作可能に連結された、処理回路構成ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１は他の類似のタイプの情報を含んでもよい。特定のＵＥは、図１２に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【０１５８】
図１２では、処理回路構成ＱＱ２０１は、コンピュータ命令およびデータを処理するように構成されてもよい。処理回路構成ＱＱ２０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはデジタル信号プロセッサ（ＤＳＰ）などの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成ＱＱ２０１は２つの中央処理装置（ＣＰＵ）を含んでもよい。データは、コンピュータが使用するのに適した形態の情報であってもよい。
【０１５９】
図示される実施形態では、入出力インターフェースＱＱ２０５は、入力デバイス、出力デバイス、または入出力デバイスに対する通信インターフェースを提供するように構成されてもよい。ＵＥ  ＱＱ２００は、入出力インターフェースＱＱ２０５を介して出力デバイスを使用するように構成されてもよい。出力デバイスは、入力デバイスと同じタイプのインターフェースポートを使用してもよい。例えば、ＵＥ  ＱＱ２００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ＱＱ２００は、入出力インターフェースＱＱ２０５を介して入力デバイスを使用して、ユーザがＵＥ  ＱＱ２００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【０１６０】
図１２では、ＲＦインターフェースＱＱ２０９は、通信インターフェースを、送信機、受信機、およびアンテナなどのＲＦ構成要素に提供するように構成されてもよい。ネットワーク接続インターフェースＱＱ２１１は、通信インターフェースをネットワークＱＱ２４３ａに提供するように構成されてもよい。ネットワークＱＱ２４３ａは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組み合わせなど、有線および／または無線ネットワークを包含してもよい。例えば、ネットワークＱＱ２４３ａはＷｉ−Ｆｉネットワークを含んでもよい。ネットワーク接続インターフェースＱＱ２１１は、イーサネット、ＴＣＰ／ＩＰ、ＳＯＮＥＴ、ＡＴＭなど、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェースＱＱ２１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【０１６１】
ＲＡＭ  ＱＱ２１７は、バスＱＱ２０２を介して処理回路構成ＱＱ２０１にインターフェース接続して、オペレーティングシステム、アプリケーションプログラム、およびデバイスドライバなどのソフトウェアプログラムを実行する間、データまたはコンピュータ命令を格納もしくはキャッシングするように構成されてもよい。ＲＯＭ  ＱＱ２１９は、コンピュータ命令またはデータを処理回路構成ＱＱ２０１に提供するように構成されてもよい。例えば、ＲＯＭ  ＱＱ２１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体ＱＱ２２１は、ＲＡＭ、ＲＯＭ、プログラマブル読出し専用メモリ（ＰＲＯＭ）、消去可能プログラマブル読出し専用メモリ（ＥＰＲＯＭ）、電気消去可能プログラマブル読出し専用メモリ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体ＱＱ２２１は、オペレーティングシステムＱＱ２２３、ウェブブラウザアプリケーションなどのアプリケーションプログラムＱＱ２２５、ウィジェットもしくはガジェットエンジンまたは別のアプリケーション、およびデータファイルＱＱ２２７を含むように構成されてもよい。記憶媒体ＱＱ２２１は、ＵＥ  ＱＱ２００が使用するため、多種多様の様々なオペレーティングシステムまたはオペレーティングシステムの組み合わせのいずれかを格納してもよい。
【０１６２】
記憶媒体ＱＱ２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータ記録（ＨＤＤＳ）光学ディスクドライブ、外部ミニデュアルインラインメモリモジュール（ＤＩＭＭ）、同期式動的ランダムアクセスメモリ（ＳＤＲＡＭ）、外部マイクロＤＩＭＭ  ＳＤＲＡＭ、スマートカードメモリ（加入者識別モジュールもしくはリムーバブルユーザ識別（ＳＩＭ／ＲＵＩＭ）モジュール）、他のメモリ、またはそれらの任意の組み合わせなど、多数の物理的ドライブユニットを含むように構成されてもよい。記憶媒体ＱＱ２２１によって、ＵＥ  ＱＱ２００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体ＱＱ２２１の形で有形的に具体化されてもよい。
【０１６３】
図１２では、処理回路構成ＱＱ２０１は、通信サブシステムＱＱ２３１を使用してネットワークＱＱ２４３ｂと通信するように構成されてもよい。ネットワークＱＱ２４３ａおよびネットワークＱＱ２４３ｂは、同じネットワークまたは異なるネットワークであってもよい。通信サブシステムＱＱ２３１は、ネットワークＱＱ２４３ｂと通信するのに使用される１つまたは複数の送受信機を含むように構成されてもよい。例えば、通信サブシステムＱＱ２３１は、ＩＥＥＥ  ８０２．ＱＱ２、ＣＤＭＡ、ＷＣＤＭＡ、ＧＳＭ、ＬＴＥ、ＵＴＲＡＮ、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機ＱＱ２３３および／または受信機ＱＱ２３５を含んでもよい。更に、各送受信機の送信機ＱＱ２３３および受信機ＱＱ２３５は、回路構成要素、ソフトウェア、もしくはファームウェアを共有してもよく、あるいは別個に実現されてもよい。
【０１６４】
図示される実施形態では、通信サブシステムＱＱ２３１の通信機能は、データ通信、音声通信、マルチメディア通信、ブルートゥースなどの近距離通信、近距離無線通信、位置を決定するのに全地球測位システム（ＧＰＳ）を使用するものなどの位置依存型通信、別の類似の通信機能、またはそれらの任意の組み合わせを含んでもよい。例えば、通信サブシステムＱＱ２３１は、セルラー通信、Ｗｉ−Ｆｉ通信、ブルートゥース通信、およびＧＰＳ通信を含んでもよい。ネットワークＱＱ２４３ｂは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組み合わせなど、有線および／または無線ネットワークを包含してもよい。例えば、ネットワークＱＱ２４３ｂは、セルラーネットワーク、Ｗｉ−Ｆｉネットワーク、および／または近距離ネットワークであってもよい。電源ＱＱ２１３は、交流（ＡＣ）または直流（ＤＣ）電力をＵＥ  ＱＱ２００の構成要素に提供するように構成されてもよい。
【０１６５】
本明細書に記載する特徴、利益、および／または機能は、ＵＥ  ＱＱ２００の構成要素の１つで実現されてもよく、またはＵＥ  ＱＱ２００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステムＱＱ２３１は、本明細書に記載する構成要素のいずれかを含むように構成されてもよい。更に、処理回路構成ＱＱ２０１は、バスＱＱ２０２を通じてかかる構成要素のいずれかと通信するように構成されてもよい。別の例では、かかる構成要素のいずれかは、処理回路構成ＱＱ２０１によって実行されると、本明細書に記載される対応する機能を実施する、メモリに格納されたプログラム命令によって表されてもよい。別の例では、かかる構成要素のいずれかの機能性は、処理回路構成ＱＱ２０１と通信サブシステムＱＱ２３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【０１６６】
図１３は、いくつかの実施形態によって実現される機能が仮想化されてもよい、仮想化環境ＱＱ３００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、構成要素、機能、仮想機械、またはコンテナを介して）１つまたは複数の仮想構成要素として実現される実現例に関する。
【０１６７】
いくつかの実施形態では、本明細書に記載する機能の一部または全ては、１つまたは複数のハードウェアノードＱＱ３３０がホストする１つまたは複数の仮想環境ＱＱ３００において実現される、１つまたは複数の仮想機械によって実行される仮想構成要素として実現されてもよい。更に、仮想ノードが無線アクセスノードではない、または無線接続性（例えば、コアネットワークノード）を要しない実施形態では、ネットワークノードは全体的に仮想化されてもよい。
【０１６８】
機能は、本明細書に開示する実施形態のうちいくつかの特徴、機能、および／または利益の一部を実現するように動作する、１つまたは複数のアプリケーションＱＱ３２０（あるいは、ソフトウェアインスタンス、仮想アプライアンス、ネットワーク機能、仮想ノード、仮想ネットワーク機能などと呼ばれることがある）によって実現されてもよい。アプリケーションＱＱ３２０は、処理回路構成ＱＱ３６０およびメモリＱＱ３９０を備えるハードウェアＱＱ３３０を提供する仮想化環境ＱＱ３００で稼働する。メモリＱＱ３９０は、処理回路構成ＱＱ３６０によって実行可能な命令ＱＱ３９５を含み、それによってアプリケーションＱＱ３２０は、本明細書に開示する特徴、利益、および／または機能の１つもしくは複数を提供するように動作する。
【０１６９】
仮想化環境ＱＱ３００は、商用オフザシェルフ（ＣＯＴＳ）プロセッサ、専用特定用途向け集積回路（ＡＳＩＣ）、あるいはデジタルもしくはアナログハードウェア構成要素または専用プロセッサを含む他の任意のタイプの処理回路構成であってもよい、１つもしくは複数のプロセッサまたは処理回路構成ＱＱ３６０のセットを備える、汎用または専用ネットワークハードウェアデバイスＱＱ３３０を備える。各ハードウェアデバイスは、処理回路構成ＱＱ３６０によって実行される命令ＱＱ３９５またはソフトウェアを一時的に格納する非永続的メモリであってもよい、メモリＱＱ３９０−１を備えてもよい。各ハードウェアデバイスは、物理的ネットワークインターフェースＱＱ３８０を含む、ネットワークインターフェースカードとしても知られる、１つまたは複数のネットワークインターフェースコントローラ（ＮＩＣ）ＱＱ３７０を備えてもよい。各ハードウェアデバイスはまた、処理回路構成ＱＱ３６０によって実行可能なソフトウェアＱＱ３９５および／または命令が格納された、非一時的な永続的機械可読記憶媒体ＱＱ３９０−２を含んでもよい。ソフトウェアＱＱ３９５は、１つまたは複数の仮想化レイヤＱＱ３５０（ハイパーバイザとも呼ばれる）の実例となるソフトウェア、仮想機械ＱＱ３４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０１７０】
仮想機械ＱＱ３４０は、仮想処理、仮想メモリ、仮想ネットワーキングまたはインターフェース、および仮想記憶装置を含み、対応する仮想化レイヤＱＱ３５０またはハイパーバイザによって稼働してもよい。仮想アプライアンスＱＱ３２０のインスタンスの異なる実施形態は、仮想機械ＱＱ３４０の１つまたは複数で実現されてもよく、実現は異なる形で行われてもよい。
【０１７１】
動作中、処理回路構成ＱＱ３６０は、場合によっては仮想機械モニタ（ＶＭＭ）と呼ばれることがある、ハイパーバイザまたは仮想化レイヤＱＱ３５０の実例となるソフトウェアＱＱ３９５を実行する。仮想化レイヤＱＱ３５０は、仮想機械ＱＱ３４０に対するネットワーキングハードウェアのように見える、仮想オペレーティングプラットフォームを表してもよい。
【０１７２】
図１３に示されるように、ハードウェアＱＱ３３０は、一般または特定構成要素を備えた独立型ネットワークノードであってもよい。ハードウェアＱＱ３３０は、アンテナＱＱ３２２５を備えてもよく、仮想化によって一部の機能を実現してもよい。あるいは、ハードウェアＱＱ３３０は、多くのハードウェアノードが共に働き、中でも特にアプリケーションＱ３２０のライフサイクル管理を監督する、管理およびオーケストレーション（ＭＡＮＯ）ＱＱ３１００を介して管理される、ハードウェアの（例えば、データセンタもしくはカスタマ構内設備（ＣＰＥ）における）より大きいクラスタの一部であってもよい。
【０１７３】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、およびデータセンタに位置することができる物理的記憶装置、およびカスタマ構内設備上へと統合するのに使用されてもよい。
【０１７４】
ＮＦＶの文脈では、仮想機械ＱＱ３４０は、物理的な非仮想化機械で実行しているかのようにプログラムを走らせる、物理的機械のソフトウェア実現例であってもよい。各仮想機械ＱＱ３４０、およびその仮想機械を実行するハードウェアＱＱ３３０の部分は、その仮想機械専用のハードウェアであり、ならびに／あるいはその仮想機械と他の仮想機械ＱＱ３４０とで共有されるハードウェアは、別個の仮想ネットワーク要素（ＶＮＥ）を形成する。
【０１７５】
やはりＮＦＶの文脈では、仮想ネットワーク機能（ＶＮＦ）は、ハードウェアネットワーキングインフラストラクチャＱＱ３３０の最上位にある１つまたは複数の仮想機械ＱＱ３４０で稼働する特定のネットワーク機能の取り扱いに関与し、図１３のアプリケーションＱＱ３２０に相当する。
【０１７６】
いくつかの実施形態では、１つまたは複数の送信機ＱＱ３２２０および１つまたは複数の受信機ＱＱ３２１０をそれぞれ含む、１つまたは複数の無線ユニットＱＱ３２００は、１つまたは複数のアンテナＱＱ３２２５に結合されてもよい。無線ユニットＱＱ３２００は、１つまたは複数の適切なネットワークインターフェースを介してハードウェアノードＱＱ３３０と直接通信してもよく、仮想ノードに無線アクセスノードまたは基地局などの無線能力を提供する、仮想構成要素との組み合わせで使用されてもよい。
【０１７７】
いくつかの実施形態では、一部のシグナリングは、ハードウェアノードＱＱ３３０と無線ユニットＱＱ３２００との間の通信に代わりに使用されてもよい、制御システムＱＱ３２３０を使用することによって実施することができる。
【０１７８】
図１４を参照すると、一実施形態によれば、通信システムは、無線アクセスネットワークなどのアクセスネットワークＱＱ４１１とコアネットワークＱＱ４１４とを含む、３ＧＰＰタイプのセルラーネットワークなどの電気通信ネットワークＱＱ４１０を含む。アクセスネットワークＱＱ４１１は、対応するカバレッジエリアＱＱ４１３ａ、ＱＱ４１３ｂ、ＱＱ４１３ｃをそれぞれ規定する、ＮＢ、ｅＮＢ、ｇＮＢ、または他のタイプの無線アクセスポイントなど、複数の基地局ＱＱ４１２ａ、ＱＱ４１２ｂ、ＱＱ４１２ｃを備える。各基地局ＱＱ４１２ａ、ＱＱ４１２ｂ、ＱＱ４１２ｃは、有線または無線接続ＱＱ４１５を通じてコアネットワークＱＱ４１４に接続可能である。カバレッジエリアＱＱ４１３ｃに位置する第１のＵＥ  ＱＱ４９１は、対応する基地局ＱＱ４１２ｃに無線接続するように、またはそれによってページングするように構成される。カバレッジエリアＱＱ４１３ａの第２のＵＥ  ＱＱ４９２は、対応する基地局ＱＱ４１２ａに無線接続可能である。この例では複数のＵＥ  ＱＱ４９１、ＱＱ４９２が示されているが、開示される実施形態は、単一のＵＥがカバレッジエリアにあるか、または単一のＵＥが対応する基地局ＱＱ４１２に接続している状況に等しく適用可能である。
【０１７９】
電気通信ネットワークＱＱ４１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータＱＱ４３０に接続される。ホストコンピュータＱＱ４３０は、サービスプロバイダの所有もしくは制御下にあってもよく、またはサービスプロバイダによって、もしくはサービスプロバイダに代わって操作されてもよい。電気通信ネットワークＱＱ４１０とホストコンピュータＱＱ４３０との間の接続ＱＱ４２１およびＱＱ４２２は、コアネットワークＱＱ４１４からホストコンピュータＱＱ４３０まで直接延在してもよく、または任意の中間ネットワークＱＱ４２０を介して通ってもよい。中間ネットワークＱＱ４２０は、公衆、私設、もしくはホストされたネットワークの１つ、または１つを超えるものの組み合わせであってもよく、中間ネットワークＱＱ４２０がある場合、バックボーンネットワークまたはインターネットであってもよく、特に中間ネットワークＱＱ４２０は、２つ以上のサブネットワーク（図示なし）を含んでもよい。
【０１８０】
図１４の通信システム全体は、接続されたＵＥ  ＱＱ４９１、ＱＱ４９２とホストコンピュータＱＱ４３０との間の接続性を可能にする。接続性は、オーバーザトップ（ＯＴＴ）接続ＱＱ４５０として説明されてもよい。ホストコンピュータＱＱ４３０および接続されたＵＥ  ＱＱ４９１、ＱＱ４９２は、アクセスネットワークＱＱ４１１、コアネットワークＱＱ４１４、任意の中間ネットワークＱＱ４２０、および場合によっては仲介物としての更なるインフラストラクチャ（図示なし）を使用して、ＯＴＴ接続ＱＱ４５０を介してデータおよび／またはシグナリングを通信するように構成される。ＯＴＴ接続ＱＱ４５０は、ＯＴＴ接続ＱＱ４５０が通っている関与する通信デバイスが、アップリンクおよびダウンリンク通信の経路指定を意識していないという意味でトランスパレントである。例えば、基地局ＱＱ４１２は、ホストコンピュータＱＱ４３０からのデータが接続されたＵＥ  ＱＱ４９１に転送される（例えば、ハンドオーバされる）、入ってくるダウンリンク通信の過去の経路指定に関して通知されなくてもよいか、または通知される必要がない。同様に、基地局ＱＱ４１２は、ＵＥ  ＱＱ４９１からホストコンピュータＱＱ４３０に向かう、出て行くアップリンク通信の今後の経路指定を意識する必要はない。
【０１８１】
次に、一実施形態によるＵＥ基地局の例示の実現例、および上述のパラグラフで考察したホストコンピュータについて、図１５を参照して記載する。通信システムＱＱ５００では、ホストコンピュータＱＱ５１０は、通信システムＱＱ５００の異なる通信デバイスのインターフェースとの有線または無線接続を設定し維持するように構成された、通信インターフェースＱＱ５１６を含むハードウェアＱＱ５１５を備える。ホストコンピュータＱＱ５１０は、記憶および／または処理能力を有してもよい、処理回路構成ＱＱ５１８を更に備える。特に、処理回路構成ＱＱ５１８は、１つもしくは複数のプログラマブルプロセッサ、特定用途向け集積回路、フィールドプログラマブルゲートアレイ、または命令を実行するように適合されたこれらの組み合わせ（図示なし）を含んでもよい。ホストコンピュータＱＱ５１０は、ホストコンピュータＱＱ５１０に格納されるかそれによってアクセス可能であり、処理回路構成ＱＱ５１８によって実行可能である、ソフトウェアＱＱ５１１を更に備える。ソフトウェアＱＱ５１１はホストアプリケーションＱＱ５１２を含む。ホストアプリケーションＱＱ５１２は、ＵＥ  ＱＱ５３０およびホストコンピュータＱＱ５１０で終端するＯＴＴ接続ＱＱ５５０を介して接続するＵＥ  ＱＱ５３０などのリモートユーザに、サービスを提供するように動作可能であってもよい。サービスをリモートユーザに提供する際、ホストアプリケーションＱＱ５１２は、ＯＴＴ接続ＱＱ５５０を使用して送信されるユーザデータを提供してもよい。
【０１８２】
通信システムＱＱ５００は、電気通信システムに提供され、ホストコンピュータＱＱ５１０およびＵＥ  ＱＱ５３０と通信できるようにするハードウェアＱＱ５２５を備える、基地局ＱＱ５２０を更に含む。ハードウェアＱＱ５２５は、通信システムＱＱ５００の異なる通信デバイスのインターフェースとの有線または無線接続を設定し維持する通信インターフェースＱＱ５２６、ならびに基地局ＱＱ５２０がサーブするカバレッジエリア（図１５には図示なし）に位置するＵＥ  ＱＱ５３０との少なくとも無線接続ＱＱ５７０を設定し維持する無線インターフェースＱＱ５２７を含んでもよい。通信インターフェースＱＱ５２６は、ホストコンピュータＱＱ５１０への接続ＱＱ５６０を容易にするように構成されてもよい。接続ＱＱ５６０は、直接であってもよく、または電気通信システムのコアネットワーク（図１５には図示なし）、および／または電気通信システム外の１つもしくは複数の中間ネットワークを通過してもよい。図示される実施形態では、基地局ＱＱ５２０のハードウェアＱＱ５２５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成ＱＱ５２８を更に含む。基地局ＱＱ５２０は、内部に格納されるか、または外部接続を介してアクセス可能な、ソフトウェアＱＱ５２１を更に有する。
【０１８３】
通信システムＱＱ５００は、既に言及したＵＥ  ＱＱ５３０を更に含む。そのハードウェアＱＱ５３５は、ＵＥ  ＱＱ５３０が現在位置しているカバレッジエリアにサーブする基地局との無線接続ＱＱ５７０を設定し維持するように構成された、無線インターフェースＱＱ５３７を含んでもよい。ＵＥ  ＱＱ５３０のハードウェアＱＱ５３５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成ＱＱ５３８を更に含む。ＵＥ  ＱＱ５３０は、ＵＥ  ＱＱ５３０に格納されるかそれによってアクセス可能であり、処理回路構成ＱＱ５３８によって実行可能である、ソフトウェアＱＱ５３１を更に備える。ソフトウェアＱＱ５３１はクライアントアプリケーションＱＱ５３２を含む。クライアントアプリケーションＱＱ５３２は、ホストコンピュータＱＱ５１０が対応しているＵＥ  ＱＱ５３０を介して人間または人間以外のユーザにサービスを提供するように動作可能であってもよい。ホストコンピュータＱＱ５１０では、実行中のホストアプリケーションＱＱ５１２は、ＵＥ  ＱＱ５３０およびホストコンピュータＱＱ５１０で終端するＯＴＴ接続ＱＱ５５０を介して、実行中のクライアントアプリケーションＱＱ５３２と通信してもよい。サービスをユーザに提供する際、クライアントアプリケーションＱＱ５３２は、要求データをホストアプリケーションＱＱ５１２から受信し、要求データに応答してユーザデータを提供してもよい。ＯＴＴ接続ＱＱ５５０は、要求データおよびユーザデータの両方を転送してもよい。クライアントアプリケーションＱＱ５３２は、ユーザと相互作用して、提供するユーザデータを生成してもよい。
【０１８４】
図１５に示されるホストコンピュータＱＱ５１０、基地局ＱＱ５２０、およびＵＥ  ＱＱ５３０はそれぞれ、図１４のホストコンピュータＱＱ４３０、基地局ＱＱ４１２ａ、ＱＱ４１２ｂ、ＱＱ４１２ｃの１つ、およびＵＥ  ＱＱ４９１、ＱＱ４９２の１つと同様または同一であってもよいことが注目される。つまり、これらのエンティティの内部仕事は図１５に示されるようなものであってもよく、また独立して、周囲のネットワークトポロジーは図１４のものであってもよい。
【０１８５】
図１５では、ＯＴＴ接続ＱＱ５５０は、仲介デバイスおよびそれらのデバイスを介したメッセージの正確な経路指定に明示的に言及することなく、基地局ＱＱ５２０を介したホストコンピュータＱＱ５１０とＵＥ  ＱＱ５３０との間の通信を示すため、抽象的に描かれている。ネットワークインフラストラクチャは、ＵＥ  ＱＱ５３０から、またはホストコンピュータＱＱ５１０を動作させるサービスプロバイダから、または両方から隠れるように構成されてもよい、経路指定を決定してもよい。ＯＴＴ接続ＱＱ５５０がアクティブである間、ネットワークインフラストラクチャは更に、（例えば、ネットワークのロードバランシングの考慮または再構成に基づいて）経路指定を大幅に変更する決定を行ってもよい。
【０１８６】
測定手順は、データ転送率、レイテンシ、および１つまたは複数の実施形態を改善する際の他の因子を監視する目的のために提供されてもよい。更に、測定結果の変動に応答して、ホストコンピュータＱＱ５１０とＵＥ  ＱＱ５３０との間でＯＴＴ接続ＱＱ５５０を再構成する任意のネットワーク機能性があってもよい。測定手順、および／またはＯＴＴ接続ＱＱ５５０を再構成するネットワーク機能性は、ホストコンピュータＱＱ５１０のソフトウェアＱＱ５１１およびハードウェアＱＱ５１５の形、またはＵＥ  ＱＱ５３０のソフトウェアＱＱ５３１およびハードウェアＱＱ５３５の形で、または両方で実現されてもよい。実施形態では、センサ（図示なし）は、ＯＴＴ接続ＱＱ５５０が通過する通信デバイスにおいて、またはそれと関連して展開されてもよく、センサは、上記に例示した監視量の値を供給することによって、または監視量を計算もしくは推定するのにソフトウェアＱＱ５１１、ＱＱ５３１が用いる他の物理的量の値を供給することによって、測定手順に関与してもよい。ＯＴＴ接続ＱＱ５５０の再構成は、メッセージ形式、再送信設定、好ましい経路指定などを含んでもよく、再構成は、基地局ＱＱ５２０に必ずしも影響を及ぼさなくてもよく、基地局ＱＱ５２０にとって未知または認識不能であってもよい。かかる手順および機能性は、当該分野において知られており実践されていることがある。特定の実施形態では、測定には、ホストコンピュータＱＱ５１０がスループット、伝播時間、レイテンシなどを測定するのを容易にする、所有ＵＥシグナリングが関与してもよい。測定は、伝播時間、エラーなどを監視している状態のＯＴＴ接続ＱＱ５５０を使用して、ソフトウェアＱＱ５１１およびＱＱ５３１によってメッセージが、特に空または「ダミー」メッセージが送信されるという点で実現されてもよい。
【０１８７】
ユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路類、デバイス、モジュール、プロセッサ、メモリ、論理固体および／または離散的デバイス、コンピュータプログラムまたは命令を含んでもよい。
【０１８８】
次に、本明細書のいくつかの実施形態による無線通信デバイスの動作方法の動作を示すブロック図である、図１６を参照する。かかる方法１６００は、アップリンク／ダウンリンクスイッチングのためのタイミングアドバンス（ＴＡ）オフセットを決定することを含んでもよい（ブロック１６０１）。いくつかの実施形態では、ＴＡオフセットは、無線通信デバイスとネットワークノードとの間の通信で使用される異なる構成における、アップリンク／ダウンリンクスイッチングのための時間オフセット要件に基づく。いくつかの実施形態では、無線通信デバイスはユーザ機器（ＵＥ）を含む。いくつかの実施形態では、ＴＡオフセットは、特定の周波数帯および特定のフレーム構造に対する、予め定義された定数値であり、特定のフレーム構造は複数の複信モードの１つを含む。
【０１８９】
いくつかの実施形態では、ＴＡオフセットはＴＡコマンド（ＴＡＣ）に含まれる。いくつかの実施形態では、ＴＡオフセット値は周波数帯に応じて決まる。いくつかの実施形態では、ＴＡオフセットは、時分割複信の周波数閾値よりも低い第１の周波数帯に対する第１のＴＡオフセット値と、周波数閾値に等しいかまたはそれよりも高い第２の周波数帯に対する第２のＴＡオフセット値とを有する。
【０１９０】
いくつかの実施形態では、第１のＴＡオフセット値は第２のＴＡオフセット値とは異なる。例えば、いくつかの実施形態では、第１のＴＡオフセット値は第２のＴＡオフセット値よりも大きい。いくつかの実施形態では、非時分割複信（非ＴＤＤ）の場合、ＴＡオフセットは０である。いくつかの実施形態では、周波数閾値は約６ＧＨｚである。かかる実施形態では、第１のＴＡオフセットは約２０μｓであってもよく、第２のＴＡオフセットは約１０μｓであってもよい。周波数閾値は６ＧＨｚ超過または未満であってもよく、第１のＴＡオフセットは２０μｓ超過または未満であってもよく、第２のＴＡオフセットは１０μｓ超過または未満であってもよいので、かかる値は非限定例である。
【０１９１】
実施形態は、決定したＴＡオフセットを、無線通信デバイスからネットワークノードへのアップリンク通信で適用することを含んでもよい（ブロック１６０２）。いくつかの実施形態では、ＴＡオフセットを適用することは、ＴＡオフセットに加えて、無線通信デバイスとネットワークノードとの間の伝播遅延に対応するタイミングアドバンスを適用することを含んでもよい。
【０１９２】
いくつかの実施形態は、ＴＡオフセットを含むメッセージをネットワークノードから受信することを含む（ブロック１６０３）。かかる実施形態では、決定したＴＡオフセットを適用することは、受信したＴＡオフセットを適用することを含んでもよい。
【０１９３】
いくつかの実施形態では、伝播遅延に対応するタイミングアドバンスは、ＲＡＲメッセージのＴＡコマンドでネットワークノードから送出される。いくつかの実施形態によれば、ＴＡオフセットは、メッセージの２ビットまたは３ビットを使用してもよい。いくつかの実施形態では、ＴＡオフセットはＮＲ−ＬＴＥの共存とは無関係である。
【０１９４】
次に、本明細書のいくつかの実施形態によるネットワークノードの動作方法の動作を示すブロック図である、図１７を参照する。かかる方法１７００は、アップリンク／ダウンリンクスイッチングのためのタイミングアドバンス（ＴＡ）オフセットを決定することを含んでもよい（ブロック１７０１）。いくつかの実施形態では、ＴＡオフセットは、ネットワークノードと無線通信デバイスとの間の通信で使用される異なる構成における、アップリンク／ダウンリンクスイッチングのための時間オフセット要件に基づく。いくつかの実施形態では、ＴＡオフセットは、時分割複信の周波数閾値よりも低い第１の周波数帯に対する第１のＴＡオフセット値と、周波数閾値に等しいかまたはそれよりも高い第２の周波数帯に対する第２のＴＡオフセット値とを有する。したがって、いくつかの実施形態では、第１のＴＡオフセット値は第２のＴＡオフセット値とは異なる。いくつかの実施形態では、第１のＴＡオフセット値は第２のＴＡオフセット値よりも大きい。
【０１９５】
いくつかの実施形態では、ＴＡオフセットは、無線通信デバイスからネットワークノードへのアップリンク通信に対応する。
【０１９６】
実施形態は、決定したＴＡオフセットを無線通信デバイスに送出することを含んでもよい（ブロック１７０２）。いくつかの実施形態では、ＴＡオフセットはランダムアクセス応答（ＲＡＲ）メッセージで送出され、他の実施形態では、ＴＡオフセットはＴＡコマンド（ＴＡＣ）に含まれる。いくつかの実施形態では、ＴＡオフセットは２ビットまたは３ビットを用いる。
【０１９７】
いくつかの実施形態による動作は、無線通信デバイスとネットワークノードとの間の伝播遅延に対応するタイミングアドバンスを、ＲＡＲメッセージのＴＡコマンドで、無線通信デバイスに送出することを含む（ブロック１７０３）。
【０１９８】
いくつかの実施形態では、ＴＡオフセット値は周波数帯に応じて決まる。例えば、いくつかの非限定的な実施形態によれば、周波数閾値は約６ＧＨｚであってもよく、第１のＴＡオフセットは約２０μｓであってもよく、第２のＴＡオフセットは約１０μｓであってもよい。いくつかの実施形態では、非時分割複信（非ＴＤＤ）はＴＡオフセット０を使用してもよい。
【０１９９】
いくつかの実施形態では、ＴＡオフセットは、特定の周波数帯および特定のフレーム構造に対する、予め定義された定数値である。異なるフレーム構造の例は、異なる複信モードを含んでもよい。いくつかの実施形態では、ＴＡオフセットはＮＲ−ＬＴＥの共存とは無関係である。
【図１】
2021502753.tif 000006
【図２】
2021502753.tif 000007
【図３】
2021502753.tif 000008
【図４】
2021502753.tif 000009
【図５】
2021502753.tif 000010
【図６】
2021502753.tif 000011
【図７】
2021502753.tif 000012
【図８】
2021502753.tif 000013
【図９】
2021502753.tif 000014
【図１０】
2021502753.tif 000015
【図１１】
2021502753.tif 000016
【図１２】
2021502753.tif 000017
【図１３】
2021502753.tif 000018
【図１４】
2021502753.tif 000019
【図１５】
2021502753.tif 000020
【図１６】
2021502753.tif 000021
【図１７】
2021502753.tif 000022
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
無線通信デバイス（３０１）における方法（１６００）であって、
アップリンク−ダウンリンクスイッチングのためのタイミングアドバンス（ＴＡ）オフセットであって、無線通信デバイスからネットワークノードへのアップリンク送信が行われるセルの複信モードと、前記アップリンク送信（３０２）の周波数範囲とに応じて決まる、ＴＡオフセットを決定すること（１６０１）と、
前記決定したＴＡオフセットを前記アップリンク送信で適用すること（１６０２）とを含む、方法。
【請求項２】
前記ＴＡオフセットが、時分割複信の周波数閾値よりも低い第１の周波数帯に対する第１のＴＡオフセット値と、前記周波数閾値に等しいかまたはそれよりも高い第２の周波数帯に対する第２のＴＡオフセット値とを有し、前記第１のＴＡオフセット値が前記第２のＴＡオフセット値とは異なる、請求項１に記載の方法。
【請求項３】
前記第１のＴＡオフセット値が前記第２のＴＡオフセット値よりも大きい、請求項２に記載の方法。
【請求項４】
周波数分割複信（ＦＤＤ）の複信モードに対する前記ＴＡオフセットが０である、請求項１に記載の方法。
【請求項５】
前記ＴＡオフセットを示すメッセージを前記ネットワークノードから受信すること（１６０３）を更に含む、請求項１から４のいずれか一項に記載の方法。
【請求項６】
前記メッセージがランダムアクセス応答（ＲＡＲ）メッセージである、請求項５に記載の方法。
【請求項７】
前記ＴＡオフセットがＴＡコマンド（ＴＡＣ）に示される、請求項５に記載の方法。
【請求項８】
前記ＴＡオフセットが前記メッセージの２ビットまたは３ビットによって指定される、請求項５に記載の方法。
【請求項９】
前記ＴＡオフセットが、所定の周波数帯および複信モードに対する所定の定数値である、請求項１に記載の方法。
【請求項１０】
前記ＴＡオフセットを適用することが、
前記ＴＡオフセットに加えて、前記無線通信デバイスと前記ネットワークノードとの間の伝播遅延に対応するタイミングアドバンスを適用することを更に含み、
前記伝播遅延に対応する前記タイミングアドバンスが、ＲＡＲメッセージのＴＡコマンドで前記ネットワークノードから送出される、請求項１に記載の方法。
【請求項１１】
前記ＴＡオフセットがＮＲ−ＬＴＥの共存とは無関係である、請求項１０に記載の方法。
【請求項１２】
ネットワークノード（３０２）における方法（１７００）であって、
アップリンク−ダウンリンクスイッチングのためのタイミングアドバンス（ＴＡ）オフセットであって、ネットワークノードと無線通信デバイス（３０１）との間の通信で使用される複信モードおよび周波数範囲に応じて決まる、ＴＡオフセットを決定すること（１７０１）と、
前記決定したＴＡオフセットを前記無線通信デバイスに送出すること（１７０２）とを含む、方法。
【請求項１３】
前記ＴＡオフセットがランダムアクセス応答（ＲＡＲ）メッセージで送出される、請求項１２に記載の方法。
【請求項１４】
前記ＴＡオフセットがＴＡコマンド（ＴＡＣ）に含まれる、請求項１２に記載の方法。
【請求項１５】
前記ＴＡオフセットが２ビットまたは３ビットを占める、請求項１２から１４のいずれか一項に記載の方法。
【請求項１６】
前記無線通信デバイスと前記ネットワークノードとの間の伝播遅延に対応するタイミングアドバンスを、ＲＡＲメッセージのＴＡコマンドで、前記無線通信デバイスに送出すること（１７０３）を更に含む、請求項１２に記載の方法。
【請求項１７】
前記ＴＡオフセットが、時分割複信の周波数閾値よりも低い第１の周波数帯に対する第１のＴＡオフセット値と、前記周波数閾値に等しいかまたはそれよりも高い第２の周波数帯に対する第２のＴＡオフセット値とを有し、前記第１のＴＡオフセット値が前記第２のＴＡオフセット値とは異なる、請求項１２から１６のいずれか一項に記載の方法。
【請求項１８】
前記第１のＴＡオフセット値が前記第２のＴＡオフセット値よりも大きい、請求項１７に記載の方法。
【請求項１９】
非時分割複信（非ＴＤＤ）の場合、前記ＴＡオフセットが０である、請求項１２から１８のいずれか一項に記載の方法。
【請求項２０】
前記ＴＡオフセットが、特定の周波数帯および特定のフレーム構造に対する、予め定義された定数値である、請求項１２から１９のいずれか一項に記載の方法。
【請求項２１】
前記ＴＡオフセットがＮＲ−ＬＴＥの共存とは無関係である、請求項１２から２０のいずれか一項に記載の方法。
【請求項２２】
無線通信デバイスとして動作するように構成された装置（８００）であって、
少なくとも１つのプロセッサ（８０１）と、
前記少なくとも１つのプロセッサに結合され、前記少なくとも１つのプロセッサによって実行可能な命令を含む、非一時的コンピュータ可読媒体（８０２）とを備え、それによって前記少なくとも１つのプロセッサが、
アップリンク／ダウンリンクスイッチングのためのタイミングアドバンス（ＴＡ）オフセットであって、アップリンク送信が行われるセルの複信モードと、前記アップリンク送信（３０２）の周波数範囲とに応じて決まる、ＴＡオフセットを決定（６０１）し、
前記決定したＴＡオフセットを、前記無線通信デバイスからネットワークノードへのアップリンク通信で適用（６０３）するように構成される、装置（８００）。
【国際調査報告】
2021502753.tif 000023
2021502753.tif 000024